(57)【要約】  カバレージエリアにおいて少なくとも1つの小カバレージ基地局を配置するための方法および装置が開示される。この方法は、少なくとも1つの小カバレージ基地局を、所与のチャネルにおいて動作するように構成するステップを含む。この方法は、所与のチャネルにおける少なくとも1つの小カバレージ基地局の使用情報を検出するステップを含む。この方法は、使用情報に少なくとも一部分基づいて、カバレージエリアにおける少なくとも1つの大カバレージ基地局の全送信電力を調整するステップを含む。
2015508271.tif 000002
【特許請求の範囲】
【請求項１】
カバレージエリアにおいて少なくとも1つの小カバレージ基地局を配置するための、ネットワークエンティティによって動作可能な方法であって、
前記少なくとも1つの小カバレージ基地局を、所与のチャネルにおいて動作するように構成するステップと、
前記所与のチャネルにおける前記少なくとも1つの小カバレージ基地局の使用情報を検出するステップと、
前記使用情報に少なくとも一部分基づいて、前記カバレージエリアにおける少なくとも1つの大カバレージ基地局の全送信電力を調整するステップと
を含む方法。
【請求項２】
前記全送信電力が、すべての共通、制御、およびデータチャネルの送信電力を備える、請求項1に記載の方法。
【請求項３】
調整するステップが、長期的な時間スケールで調整するステップを含む、請求項1に記載の方法。
【請求項４】
調整するステップが、前記使用情報が前記所与のチャネルに関連付けられた閾値レベル未満になることに応答して、前記少なくとも1つの大カバレージ基地局の送信電力を増加させるステップを含む、請求項1に記載の方法。
【請求項５】
調整するステップが、前記使用情報が前記所与のチャネルに関連付けられた閾値レベルを上回ることに応答して、前記少なくとも1つの大カバレージ基地局の送信電力を低減するステップを含む、請求項1に記載の方法。
【請求項６】
前記少なくとも1つの大カバレージ基地局の送信電力を終了するステップをさらに含む請求項5に記載の方法。
【請求項７】
調整するステップが、前記少なくとも1つの大カバレージ基地局のキャリアをオフにするステップを含む、請求項1に記載の方法。
【請求項８】
前記少なくとも1つの小カバレージ基地局による専用の使用のために前記キャリアを割り当てるステップをさらに含む請求項7に記載の方法。
【請求項９】
前記使用情報が、前記カバレージエリアにおける配置された小カバレージ基地局の密度を含む、請求項1に記載の方法。
【請求項１０】
前記使用情報が、ワイヤレス通信ネットワークのデータ需要を含む、請求項1に記載の方法。
【請求項１１】
前記使用情報が、前記少なくとも1つの小カバレージ基地局の所与のカバレージエリアのバックホール容量を含む、請求項1に記載の方法。
【請求項１２】
前記少なくとも1つの小カバレージ基地局の動作モードをクローズドアクセスモードからオープンアクセスまたはハイブリッドアクセスモードに切り替えるステップ
をさらに含む請求項1に記載の方法。
【請求項１３】
前記少なくとも1つの小カバレージ基地局の送信電力を増加させるステップをさらに含む請求項12に記載の方法。
【請求項１４】
前記ネットワークエンティティが、ホームノードB(HNB)管理システム(HMS)、保守運用管理(OAM)サーバ、または集中型SONサーバを含み、
前記少なくとも1つの大カバレージ基地局がマクロセルまたはピコセルを含み、
前記少なくとも1つの小カバレージ基地局がフェムトセルを含む
請求項1に記載の方法。
【請求項１５】
前記ネットワークエンティティが、ホームノードB(HNB)管理システム(HMS)、保守運用管理(OAM)サーバ、または集中型SONサーバを含み、
前記少なくとも1つの大カバレージ基地局がマクロセルを含み、
前記少なくとも1つの小カバレージ基地局がピコセルを含む
請求項1に記載の方法。
【請求項１６】
少なくとも1つの小カバレージ基地局を、所与のチャネルにおいて動作するように構成し、前記所与のチャネルにおける前記少なくとも1つの小カバレージ基地局の使用情報を検出し、前記使用情報に少なくとも一部分基づいて、カバレージエリアにおける少なくとも1つの大カバレージ基地局の全送信電力を調整するように構成された少なくとも1つのプロセッサと、
データを記憶するための前記少なくとも1つのプロセッサに結合されたメモリと
を含む装置。
【請求項１７】
前記全送信電力が、すべての共通、制御、およびデータチャネルの送信電力を備える、請求項16に記載の装置。
【請求項１８】
前記プロセッサが、長期的な時間スケールで調整するようにさらに構成される、請求項16に記載の装置。
【請求項１９】
前記少なくとも1つのプロセッサが、前記使用情報が前記所与のチャネルに関連付けられた閾値レベル未満になることに応答して、前記少なくとも1つの大カバレージ基地局の送信電力を増加させるようにさらに構成される、請求項16に記載の装置。
【請求項２０】
前記少なくとも1つのプロセッサが、前記使用情報が前記所与のチャネルに関連付けられた閾値レベルを上回ることに応答して、前記少なくとも1つの大カバレージ基地局の送信電力を低減するようにさらに構成される、請求項16に記載の装置。
【請求項２１】
前記少なくとも1つのプロセッサが、前記少なくとも1つの大カバレージ基地局の送信電力を終了するようにさらに構成される、請求項20に記載の装置。
【請求項２２】
調整することが、前記少なくとも1つの大カバレージ基地局のキャリアをオフにすることを含む、請求項16に記載の装置。
【請求項２３】
前記少なくとも1つの小カバレージ基地局による専用の使用のために前記キャリアを割り当てることをさらに含む請求項22に記載の装置。
【請求項２４】
前記使用情報が、前記カバレージエリアにおける配置された小カバレージ基地局の密度を含む、請求項16に記載の装置。
【請求項２５】
前記使用情報が、ワイヤレス通信ネットワークのデータ需要を含む、請求項16に記載の装置。
【請求項２６】
前記使用情報が、前記少なくとも1つの小カバレージ基地局の所与のカバレージエリアのバックホール容量を含む、請求項16に記載の装置。
【請求項２７】
前記少なくとも1つのプロセッサが、
前記少なくとも1つの小カバレージ基地局の動作モードをクローズドアクセスモードからオープンアクセスまたはハイブリッドアクセスモードに切り替える
ようにさらに構成される、請求項16に記載の装置。
【請求項２８】
前記少なくとも1つのプロセッサが、前記少なくとも1つの小カバレージ基地局の送信電力を増加させるようにさらに構成される、請求項27に記載の装置。
【請求項２９】
前記装置が、ホームノードB(HNB)管理システム(HMS)、保守運用管理(OAM)サーバ、または集中型SONサーバを含み、
前記少なくとも1つの小カバレージ基地局がフェムトセルまたはピコセルを含む
請求項16に記載の装置。
【請求項３０】
カバレージエリアにおいて少なくとも1つの小カバレージ基地局を配置するための装置であって、
前記少なくとも1つの小カバレージ基地局を、所与のチャネルにおいて動作するように構成するための手段と、
前記所与のチャネルにおける前記少なくとも1つの小カバレージ基地局の使用情報を検出するための手段と、
前記使用情報に少なくとも一部分基づいて、前記カバレージエリアにおける少なくとも1つの大カバレージ基地局の送信電力を調整するための手段と
を含む装置。
【請求項３１】
全送信電力が、すべての共通、制御、およびデータチャネルの送信電力を備える、請求項30に記載の装置。
【請求項３２】
調整するための前記手段が、長期的な時間スケールで調整するためにさらに構成される、請求項30に記載の装置。
【請求項３３】
調整するための前記手段が、前記使用情報が前記所与のチャネルに関連付けられた閾値レベル未満になることに応答して、前記少なくとも1つの大カバレージ基地局の送信電力を増加させるためにさらに構成される、請求項30に記載の装置。
【請求項３４】
調整するための前記手段が、前記使用情報が前記所与のチャネルに関連付けられた閾値レベルを上回ることに応答して、前記少なくとも1つの大カバレージ基地局の送信電力を低減するためにさらに構成される、請求項30に記載の装置。
【請求項３５】
調整するための前記手段が、前記少なくとも1つの大カバレージ基地局の送信電力を終了するようにさらに構成される、請求項34に記載の装置。
【請求項３６】
調整するための前記手段が、前記少なくとも1つの大カバレージ基地局のキャリアをオフにするためにさらに構成される、請求項30に記載の装置。
【請求項３７】
前記少なくとも1つの小カバレージ基地局による専用の使用のために前記キャリアを割り当てるための手段をさらに含む請求項36に記載の装置。
【請求項３８】
前記使用情報が、前記カバレージエリアにおける配置された小カバレージ基地局の密度を含む、請求項30に記載の装置。
【請求項３９】
前記使用情報が、ワイヤレス通信ネットワークのデータ需要を含む、請求項30に記載の装置。
【請求項４０】
前記使用情報が、前記少なくとも1つの小カバレージ基地局の所与のカバレージエリアのバックホール容量を含む、請求項30に記載の装置。
【請求項４１】
前記少なくとも1つの小カバレージ基地局の動作モードをクローズドアクセスモードからオープンアクセスまたはハイブリッドアクセスモードに切り替えるための手段をさらに含む請求項30に記載の装置。
【請求項４２】
調整するための前記手段が、前記少なくとも1つの小カバレージ基地局の送信電力を増加させるためにさらに構成される、請求項41に記載の装置。
【請求項４３】
前記装置が、ホームノードB(HNB)管理システム(HMS)、保守運用管理(OAM)サーバ、または集中型SONサーバを含み、
前記少なくとも1つの小カバレージ基地局がフェムトセルまたはピコセルを含む
請求項30に記載の装置。
【請求項４４】
コンピュータプログラムであって、
コンピュータに、
カバレージエリアにおける少なくとも1つの小カバレージ基地局を、所与のチャネルにおいて動作するように構成させ、
前記所与のチャネルにおける前記少なくとも1つの小カバレージ基地局の使用情報を検出させ、
前記使用情報に少なくとも一部分基づいて、前記カバレージエリアにおける少なくとも1つの大カバレージ基地局の送信電力を調整させる
ためのコードを含む、
コンピュータプログラム。
【請求項４５】
全送信電力が、すべての共通、制御、およびデータチャネルの送信電力を備える、請求項44に記載のコンピュータプログラム。
【請求項４６】
調整することが、長期的な時間スケールで調整することを含む、請求項44に記載のコンピュータプログラム。
【請求項４７】
調整することが、前記使用情報が前記所与のチャネルに関連付けられた閾値レベル未満になることに応答して、前記少なくとも1つの大カバレージ基地局の送信電力を増加させることを含む、請求項44に記載のコンピュータプログラム。
【請求項４８】
調整することが、前記使用情報が前記所与のチャネルに関連付けられた閾値レベルを上回ることに応答して、前記少なくとも1つの大カバレージ基地局の送信電力を低減することを含む、請求項44に記載のコンピュータプログラム。
【請求項４９】
前記少なくとも1つの大カバレージ基地局の送信電力を終了することをさらに含む請求項48に記載のコンピュータプログラム。
【請求項５０】
調整することが、前記少なくとも1つの大カバレージ基地局のキャリアをオフにすることを含む、請求項44に記載のコンピュータプログラム。
【請求項５１】
前記少なくとも1つの小カバレージ基地局による専用の使用のために前記キャリアを割り当てることをさらに含む請求項50に記載のコンピュータプログラム。
【請求項５２】
ワイヤレス通信ネットワークにおけるネットワークエンティティによって動作可能な方法であって、
少なくとも1つの大カバレージ基地局を、ネットワークの時間または周波数リソースを使用するように構成するステップと、
少なくとも1つの小カバレージ基地局を、前記時間または周波数リソースの第1のサブセットを使用するように構成するステップと、
所与のカバレージエリアにおける小カバレージ基地局の密度が定義された閾値レベルまで増加することに応答して、前記少なくとも1つの大カバレージ基地局を、前記時間または周波数リソースの第2のサブセットを使用するように構成するステップであり、前記第2のサブセットが、前記第1のサブセットにおける前記時間または周波数リソースに直交する時間または周波数リソースを含む、ステップと
を含む方法。
【請求項５３】
別の少なくとも1つの小カバレージ基地局を、前記時間または周波数リソースの第3のサブセットを使用するように構成するステップであり、前記第3のサブセットが、時間または周波数リソースの前記第1および第2のサブセットに直交する、ステップをさらに含む請求項52に記載の方法。
【請求項５４】
ワイヤレス通信ネットワークにおける装置であって、
少なくとも1つの大カバレージ基地局を、時間または周波数リソースを使用するように構成すること、少なくとも1つの小カバレージ基地局を、前記時間または周波数リソースの第1のサブセットを使用するように構成すること、および所与のカバレージエリアにおける小カバレージ基地局の密度が定義された閾値レベルまで増加することに応答して、前記少なくとも1つの大カバレージ基地局を、前記時間または周波数リソースの第2のサブセットを使用するように構成することのために構成された少なくとも1つのプロセッサであり、前記第2のサブセットが、前記第1のサブセットにおける前記時間または周波数リソースに直交する時間または周波数リソースを含む、プロセッサと、
データを記憶するための前記少なくとも1つのプロセッサに結合されたメモリと
を含む装置。
【請求項５５】
ワイヤレス通信ネットワークにおける装置であって、
少なくとも1つの大カバレージ基地局を、時間または周波数リソースを使用するように構成するための手段と、
少なくとも1つの小カバレージ基地局を、前記時間または周波数リソースの第1のサブセットを使用するように構成するための手段と、
所与のカバレージエリアにおける小カバレージ基地局の密度が定義された閾値レベルまで増加することに応答して、前記少なくとも1つの大カバレージ基地局を、前記時間または周波数リソースの第2のサブセットを使用するように構成するための手段であり、前記第2のサブセットが、前記第1のサブセットにおける前記時間または周波数リソースに直交する時間または周波数リソースを含む、手段と
を含む装置。
【請求項５６】
コンピュータプログラムであって、
少なくとも1つのコンピュータに、
少なくとも1つの大カバレージ基地局を、ネットワークの時間または周波数リソースを使用するように構成することと、
少なくとも1つの小カバレージ基地局を、前記時間または周波数リソースの第1のサブセットを使用するように構成することと、
所与のカバレージエリアにおける小カバレージ基地局の密度が定義された閾値レベルまで増加することに応答して、前記少なくとも1つの大カバレージ基地局を、前記時間または周波数リソースの第2のサブセットを使用するように構成することであり、前記第2のサブセットが、前記第1のサブセットにおける時間または周波数リソースに直交する時間または周波数リソースを含む、構成することと
を行わせるためのコードを備える
コンピュータプログラム。
【発明の詳細な説明】
【技術分野】
【０００１】
関連出願の相互参照
本特許出願は、本出願の譲受人に譲渡され、参照によりその全体が本明細書に明確に組み込まれる、2012年2月24日に出願された「METHOD AND APPARATUS FOR TURNING OFF MACRO CARRIERS TO DEPLOY FEMTOCELLS」と題する米国仮出願第61/603,154号の優先権を主張する。
【０００２】
本開示は概して、通信システムに関し、より詳細には、小カバレージ基地局(たとえばフェムトセル)を配置するための技法に関する。
【背景技術】
【０００３】
ワイヤレス通信ネットワークは、音声、ビデオ、パケットデータ、メッセージング、ブロードキャストなどの様々な通信コンテンツを提供するために広く展開されている。これらのワイヤレスネットワークは、利用可能なネットワークリソースを共有することによって複数のユーザをサポートすることが可能な多元接続ネットワークであり得る。そのような多元接続ネットワークの例には、符号分割多元接続(CDMA)ネットワーク、時分割多元接続(TDMA)ネットワーク、周波数分割多元接続(FDMA)ネットワーク、直交FDMA(OFDMA)ネットワーク、およびシングルキャリアFDMA(SC-FDMA)ネットワークがある。
【０００４】
ワイヤレス通信ネットワークは、たとえばユーザ機器(UE)など、いくつかのモバイルエンティティの通信をサポートできる複数の基地局を含むことができる。UEは、ダウンリンク(DL)およびアップリンク(UL)を介して基地局と通信し得る。DL(または順方向リンク)は、基地局からUEへの通信リンクを指し、UL(または逆方向リンク)は、UEから基地局への通信リンクを指す。
【０００５】
3rd Generation Partnership Project(3GPP) Long Term Evolution(LTE)は、Global System for Mobile communications(GSM(登録商標))およびUniversal Mobile Telecommunications System(UMTS)の発展形としてセルラー技術における主要な進歩を表す。LTE物理層(PHY)は、発展型ノードB(eNB)などの基地局と、UEなどのモバイルエンティティとの間にデータと制御情報の両方を伝える非常に効率的な方法を提供する。
【０００６】
近年、ユーザは、特にその家またはオフィスの場所で、固定回線ブロードバンド通信をモバイルブロードバンド通信に取り替え始めており、非常に高い音声品質、信頼できるサービス、および低価格をますます要求している。屋内のサービスを提供するために、ネットワーク事業者は、異なるソリューションを展開することができる。中程度のトラフィックを有するネットワークでは、事業者は、信号を建物内に送信するために、マクロセルラー基地局に依存する可能性がある。しかしながら、建築物透過損失が高いエリアでは、許容できる信号品質を維持することは困難であり得、したがって、他のソリューションが要求される。新しいソリューションは、たとえば空間およびスペクトルなどの限られた無線リソースを大いに利用することがしばしば望ましい。これらのソリューションのいくつかは、インテリジェントリピータ、遠隔無線ヘッド、および小カバレージ基地局(たとえば、ピコセルおよびフェムトセル)を含む。
【０００７】
フェムトセルソリューションの標準化および推進に焦点を当てた非営利メンバーシップ組織であるフェムトフォーラムは、フェムトセルユニットまたはフェムトノードとも呼ばれるフェムトアクセスポイント(FAP)を、ライセンスされたスペクトルで動作し、ネットワークオペレータによって制御され、既存のハンドセットに接続することができ、かつ住居のデジタル加入者線(DSL)またはバックホール用のケーブル接続を使用する低消費電力のワイヤレスアクセスポイントであると定義する。様々な標準またはコンテキストでは、FAPは、ホームノードB(HNB)、ホームeノードB(HeNB)、アクセスポイント基地局などと呼ばれ得る。FAPの人気が増加するにつれて、帯域幅およびリソースの割振りを最適化したいという要望がある。
【発明の概要】
【課題を解決するための手段】
【０００８】
小カバレージ基地局を配置するための方法および装置が発明を実施するための形態に詳述されており、いくつかの態様は以下で要約される。この発明の概要および以下の発明を実施するための形態は、組み込まれた開示の相補的な部分と解釈されるものとし、その部分は、冗長な主題および/または補足的な主題を含み得る。いずれのセクションにおける省略も、組み込まれた明細書に記載されている任意の要素の優先事項または相対的重要度を示さない。セクション間の差は、それぞれの開示から明らかであるように、代替の実施形態の補足的な開示、追加の詳細、または異なる用語を使用した同一の実施形態の代替の説明を含むことができる。
【０００９】
一態様では、カバレージエリアにおいて少なくとも1つの小カバレージ基地局を配置するための、ネットワークエンティティによって動作可能な方法が開示される。この方法は、少なくとも1つの小カバレージ基地局を、所与のチャネルにおいて動作するように構成するステップを含む。この方法は、所与のチャネルにおける少なくとも1つの小カバレージ基地局の使用情報を検出するステップを含む。この方法は、使用情報に少なくとも一部分基づいて、カバレージエリアにおける少なくとも1つの大カバレージ基地局の全送信電力を調整するステップを含む。
【００１０】
別の態様では、装置は、少なくとも1つの小カバレージ基地局を、所与のチャネルにおいて動作するように構成し、所与のチャネルにおける少なくとも1つの小カバレージ基地局の使用情報を検出し、使用情報に少なくとも一部分基づいて、カバレージエリアにおける少なくとも1つの大カバレージ基地局の全送信電力を調整するように構成された少なくとも1つのプロセッサを含む。この装置は、データを記憶するための少なくとも1つのプロセッサに結合されたメモリを含む。
【００１１】
別の態様では、カバレージエリアにおいて少なくとも1つの小カバレージ基地局を配置するための装置は、少なくとも1つの小カバレージ基地局を、所与のチャネルにおいて動作するように構成するための手段を含む。この装置は、所与のチャネルにおける少なくとも1つの小カバレージ基地局の使用情報を検出するための手段を含む。この装置は、使用情報に少なくとも一部分基づいて、カバレージエリアにおける少なくとも1つの大カバレージ基地局の全送信電力を調整するための手段を含む。
【００１２】
別の態様では、コンピュータプログラム製品は、コンピュータに、カバレージエリアにおける少なくとも1つの小カバレージ基地局を、所与のチャネルにおいて動作するように構成させ、所与のチャネルにおける少なくとも1つの小カバレージ基地局の使用情報を検出させ、使用情報に少なくとも一部分基づいて、カバレージエリアにおける少なくとも1つの大カバレージ基地局の全送信電力を調整させるためのコードを含むコンピュータ可読媒体を含む。
【００１３】
さらに別の態様では、ワイヤレスネットワークにおけるネットワークエンティティによって動作可能な方法が開示される。この方法は、少なくとも1つの大カバレージ基地局を、ネットワークの時間または周波数リソースを使用するように構成するステップを含む。この方法は、少なくとも1つの小カバレージ基地局を、時間または周波数リソースの第1のサブセットを使用するように構成するステップを含む。この方法は、所与のカバレージエリアにおける小カバレージ基地局の密度が定義された閾値レベルまで増加することに応答して、少なくとも1つの大カバレージ基地局を、時間または周波数リソースの第2のサブセットを使用するように構成するステップであり、第2のサブセットが、第1のサブセットにおける時間または周波数リソースに直交する時間または周波数リソースを含む、ステップを含む。
【００１４】
別の態様では、ワイヤレス通信ネットワークにおける装置は、少なくとも1つのプロセッサを含み、少なくとも1つのプロセッサは、少なくとも1つの大カバレージ基地局を、時間または周波数リソースを使用するように構成することと、少なくとも1つの小カバレージ基地局を、時間または周波数リソースの第1のサブセットを使用するように構成することと、所与のカバレージエリアにおける小カバレージ基地局の密度が定義された閾値レベルまで増加することに応答して、少なくとも1つの大カバレージ基地局を、時間または周波数リソースの第2のサブセットを使用するように構成することであり、第2のサブセットが、第1のサブセットにおける時間または周波数リソースに直交する時間または周波数リソースを含む、構成することとを行うように構成される。この装置は、データを記憶するための少なくとも1つのプロセッサに結合されたメモリを含む。
【００１５】
別の態様では、ワイヤレス通信ネットワークにおける装置は、少なくとも1つの大カバレージ基地局を、時間または周波数リソースを使用するように構成するための手段を含む。この装置は、少なくとも1つの小カバレージ基地局を、時間または周波数リソースの第1のサブセットを使用するように構成するための手段を含む。この装置は、所与のカバレージエリアにおける小カバレージ基地局の密度が定義された閾値レベルまで増加することに応答して、少なくとも1つの大カバレージ基地局を、時間または周波数リソースの第2のサブセットを使用するように構成するための手段であり、第2のサブセットが、第1のサブセットにおける時間または周波数リソースに直交する時間または周波数リソースを含む、手段を含む。
【００１６】
別の態様では、コンピュータプログラム製品は、少なくとも1つのコンピュータに、少なくとも1つの大カバレージ基地局を、ネットワークの時間または周波数リソースを使用するように構成することと、少なくとも1つの小カバレージ基地局を、時間または周波数リソースの第1のサブセットを使用するように構成することと、所与のカバレージエリアにおける小カバレージ基地局の密度が定義された閾値レベルまで増加することに応答して、少なくとも1つの大カバレージ基地局を、時間または周波数リソースの第2のサブセットを使用するように構成することであり、第2のサブセットが、第1のサブセットにおける時間または周波数リソースに直交する時間または周波数リソースを含む、構成することとを行わせるためのコードを備えるコンピュータ可読媒体を含む。
【００１７】
添付の図面とともに以下に説明する開示する態様は、開示する態様を限定するためではなく、開示する態様を例示するために与えられ、同様の表示は同様の要素を示す。
【図面の簡単な説明】
【００１８】
【図１】電気通信システムの一例を概念的に示すブロック図である。
【図２】電気通信システムのダウンリンクフレーム構造の一例を概念的に示すブロック図である。
【図３】基地局/eNBおよびUEの設計を概念的に示すブロック図である。
【図４】別の例示的な通信システムを示すブロック図である。
【図５】通信システムのいくつかのサンプル態様の簡略ブロック図である。
【図６Ａ】6Bと異なるFAP密度を含むFAP配置シナリオを示す図である。
【図６Ｂ】6Aと異なるFAP密度を含むFAP配置シナリオを示す図である。
【図７】マクロアクセスポイントの送信電力を調整するための例示的なプロセスを示す図である。
【図８】FAP密度に基づいてマクロアクセスポイントの時間または周波数リソースを構成するための例示的なプロセスを示す図である。
【図９】マクロアクセスポイントの送信電力を調整するための方法の態様を示す図である。
【図１０】マクロアクセスポイントの送信電力を調整するための方法の別の態様を示す図である。
【図１１】マクロアクセスポイントのリソースの使用を構成するための方法の態様を示す図である。
【図１２】図9〜図11の方法に従って、送信電力を調整し、リソースの使用を構成するための装置の一実施形態を示す図である。
【発明を実施するための形態】
【００１９】
次に、図面を参照しながら様々な態様について説明する。以下の記述では、説明の目的で、1つまたは複数の態様の完全な理解を与えるために、多数の具体的な詳細が記載される。しかしながら、そのような態様をこれらの具体的な詳細なしに実施できることは明白であり得る。
【００２０】
本出願で使用される場合、「構成要素」、「モジュール」、「システム」などの用語は、限定はしないが、ハードウェア、ファームウェア、ハードウェアとソフトウェアの組合せ、ソフトウェア、または実行中のソフトウェアなど、コンピュータ関連のエンティティを含むものとする。たとえば、構成要素は、プロセッサ上で実行されるプロセス、プロセッサ、オブジェクト、実行ファイル、実行スレッド、プログラム、および/またはコンピュータであり得るが、これらに限定されない。例として、コンピューティングデバイス上で実行されるアプリケーションと、そのコンピューティングデバイスの両方が、構成要素であり得る。1つまたは複数の構成要素が、プロセスおよび/または実行スレッド内に常駐することができ、1つの構成要素が、1つのコンピュータ上に配置されてよく、かつ/または2つ以上のコンピュータ間に分散されてよい。さらに、これらの構成要素は、様々なデータ構造を記憶している様々なコンピュータ可読媒体から実行することができる。これらの構成要素は、信号によって、ローカルシステム、分散システム内の別の構成要素と対話し、かつ/またはインターネットなどのネットワークを介して他のシステムと対話する1つの構成要素からのデータのような1つまたは複数のデータパケットを有する信号に従うことなどによって、ローカルプロセスおよび/またはリモートプロセスによって通信し得る。
【００２１】
さらに、ワイヤード端末またはワイヤレス端末であり得る端末に関して、様々な態様について本明細書で説明する。端末は、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、またはユーザ機器(UE)と呼ばれることもある。ワイヤレス端末またはデバイスは、セルラー電話、衛星電話、コードレス電話、セッション開始プロトコル(SIP)電話、ワイヤレスローカルループ(WLL)局、携帯情報端末(PDA)、ワイヤレス接続機能を有するハンドヘルドデバイス、タブレット、コンピューティングデバイス、またはワイヤレスモデムに接続された他の処理デバイスであり得る。さらに、基地局に関して、様々な態様について本明細書で説明する。基地局は、ワイヤレス端末と通信するために利用することができ、アクセスポイント、ノードB、発展型ノードB(eNB)、H(e)NBと総称されるホームノードB(HNB)もしくはホーム発展型ノードB(HeNB)、または何らかの他の用語で呼ばれる場合もある。
【００２２】
その上、「または」という用語は、排他的な「または」ではなく、包括的な「または」を意味するものとする。すなわち、別段の規定がない限り、または文脈から明白でない限り、「XはAまたはBを使用する」という語句は、自然な包括的置換のいずれかを意味するものとする。すなわち、「XはAまたはBを使用する」という語句は、以下の例のいずれかによって満足される。XはAを使用する。XはBを使用する。または、XはAとBの両方を使用する。加えて、本出願および添付の特許請求の範囲で使用する冠詞「a」および「an」は、別段の規定がない限り、または単数形を示すことが文脈から明白でない限り、概して「1つまたは複数」を意味するものと解釈すべきである。
【００２３】
本明細書で説明する技法は、CDMA、TDMA、FDMA、OFDMA、SC-FDMA、WiFiキャリア検知多重アクセス(CSMA)、および他のシステムなど、様々なワイヤレス通信システムに使用され得る。「システム」および「ネットワーク」という用語は、しばしば互換的に使用される。CDMAシステムは、Universal Terrestrial Radio Access(UTRA)、cdma2000などの無線技術を実装し得る。UTRAは、Wideband-CDMA(W-CDMA(登録商標))およびCDMAの他の変形形態を含む。さらに、cdma2000は、IS-2000、IS-95およびIS-856の規格をカバーする。TDMAシステムは、Global System for Mobile Communications(GSM(登録商標))などの無線技術を実装することができる。OFDMAシステムは、発展型UTRA(E-UTRA)、ウルトラモバイルブロードバンド(UMB)、IEEE802.11(Wi-Fi)、IEEE802.16(WiMAX)、IEEE802.20、Flash-OFDM(登録商標)などの無線技術を実装することができる。UTRAおよびE-UTRAは、Universal Mobile Telecommunication System(UMTS)の一部である。3GPP Long Term Evolution(LTE)は、ダウンリンク上ではOFDMAを利用し、アップリンク上ではSC-FDMAを利用する、E-UTRAを使用するUMTSのリリースである。UTRA、E-UTRA、UMTS、LTEおよびGSM(登録商標)は、「3rd Generation Partnership Project」(3GPP)と称する組織からの文書に記載されている。加えて、cdma2000およびUMBは、「3rd Generation Partnership Project 2」(3GPP2)と称する組織からの文書に記載されている。さらに、そのようなワイヤレス通信システムは、不対無認可スペクトル、802.xxワイヤレスLAN、BLUETOOTH(登録商標)および任意の他の短距離または長距離ワイヤレス通信技法をしばしば使用するピアツーピア(たとえば、モバイルツーモバイル)アドホックネットワークシステムをさらに含み得る。
【００２４】
いくつかのデバイス、構成要素、モジュールなどを含み得るシステムに関して、様々な態様または特徴が提示される。様々なシステムが、さらなるデバイス、構成要素、モジュールなどを含む場合があり、かつ/または図に関して論じられるデバイス、構成要素、モジュールなどのすべてを含むとは限らないことを、理解および諒解されたい。これらの手法の組合せも使用され得る。
【００２５】
次に図1を参照すると、本明細書で提示する様々な実施形態による、LTEネットワークとすることができるワイヤレス通信システム100が示されている。ワイヤレスネットワーク100は、いくつかのeNB110と他のネットワークエンティティとを含み得る。eNBは、UEと通信する局であってよく、基地局、ノードB、アクセスポイントなどとも呼ばれ得る。各eNB110a、110b、110cは、特定の地理的エリアに対して通信カバレージを提供することができる。3GPPでは、「セル」という用語は、この用語が使用される状況に応じて、eNBのカバレージエリアおよび/またはこのカバレージエリアにサービスしているeNBサブシステムを指すことがある。
【００２６】
eNBは、マクロセル、ピコセル、フェムトセル、および/または他のタイプのセルに通信カバレージを提供し得る。マクロセルは、比較的大きい地理的エリア(たとえば、半径数キロメートル)をカバーし得、サービスに加入しているUEによる無制限アクセスを可能にし得る。ピコセルは、比較的小さい地理的エリアをカバーし得、サービスに加入しているUEによる無制限アクセスを可能にし得る。フェムトセルは、比較的小さい地理的エリア(たとえば、家庭)をカバーし得、フェムトセルとの関連を有するUE(たとえば、限定加入者グループ(CSG)中のUE、家の中のユーザのUEなど)による限定アクセスを可能にし得る。マクロセルのためのeNBは、マクロeNBと呼ばれ得る。ピコセルのためのeNBは、ピコeNBと呼ばれ得る。フェムトセルのためのeNBは、フェムトeNBまたはホームeNB(HNB)と呼ばれ得る。図1に示す例では、eNB110a、110bおよび110cは、それぞれマクロセル102a、102bおよび102cのマクロeNBであり得る。eNB110xは、ピコセル102xのピコeNBであり得る。また、eNB110yおよび110zは、それぞれ、フェムトセル102yおよび102zのためのフェムトeNBである。eNBは、1つまたは複数(たとえば、3つ)のセルをサポートすることができる。
【００２７】
ワイヤレスネットワーク100はまた、中継局110rを含み得る。中継局は、上流の局(たとえば、eNBまたはUE)からデータおよび/または他の情報の伝送を受信し、下流の局(たとえば、UEまたはeNB)へデータおよび/または他の情報の伝送を送る局である。中継局はまた、他のUEのための伝送を中継するUEであってもよい。図1に示す例では、中継局110rは、eNB110aとUE120rとの間の通信を可能にするために、eNB110aおよびUE120rと通信し得る。中継局はまた、中継eNB、リレーなどとも呼ばれ得る。
【００２８】
ワイヤレスネットワーク100は、様々なタイプのeNB、たとえば、マクロeNB、ピコeNB、フェムトeNB、リレーなどを含む異種ネットワークであり得る。これらの様々なタイプのeNBは、様々な送信電力レベル、様々なカバレージエリア、およびワイヤレスネットワーク100中の干渉に対する様々な影響を有し得る。たとえば、マクロeNBは高い送信電力レベル(たとえば、20ワット)を有することがあり、一方でピコeNB、フェムトeNBおよびリレーはより低い送信電力レベル(たとえば、1ワット)を有することがある。
【００２９】
ワイヤレスネットワーク100は、同期動作または非同期動作をサポートし得る。同期動作の場合、eNBは同様のフレームタイミングを有し得、異なるeNBからの送信は近似的に時間的に整合され得る。非同期動作の場合、eNBは異なるフレームタイミングを有し得、異なるeNBからの送信は時間的に整合されないことがある。本明細書で説明する技法は、同期動作と非同期動作の両方のために使用され得る。
【００３０】
ネットワークコントローラ130は、eNBのセットに結合され、これらのeNBの調整および制御を行い得る。ネットワークコントローラ130は、バックホールを介してeNB110と通信し得る。eNB110はまた、たとえば、直接または間接的にワイヤレスバックホールまたはワイヤラインバックホールを介して互いに通信し得る。
【００３１】
UE120は、ワイヤレスネットワーク100全体に分散され、各UEは固定されていてもまたは移動式であってもよい。UEは、端末、移動局、加入者ユニット、局などとも呼ばれることがある。UEは、携帯電話、携帯情報端末(PDA)、ワイヤレスモデム、ワイヤレス通信デバイス、携帯型デバイス、ラップトップコンピュータ、コードレス電話、ワイヤレスローカルループ(WLL)局、または他のモバイルエンティティであってよい。UEは、マクロeNB、ピコeNB、フェムトeNB、リレー、または他のネットワークエンティティと通信することができてもよい。図1では、両側に矢印がある実線が、UEとサービングeNBとの間の所望の伝送を示し、サービングeNBは、ダウンリンクおよび/またはアップリンクでUEをサーブするように指定されるeNBである。両矢印の破線は、UEとeNBとの間の干渉送信を示している。
【００３２】
LTEは、ダウンリンクで直交周波数分割多重化(OFDM)を利用し、かつアップリンクでシングルキャリア周波数分割多重化(SC-FDM)を利用する。OFDMおよびSC-FDMは、システムの帯域幅を複数の(K個の)直交サブキャリアに分割し、この複数の直交サブキャリアは、一般に、トーン、ビンなどとも呼ばれる。各サブキャリアはデータで変調され得る。一般に、変調シンボルは、OFDMでは周波数領域で、SC-FDMでは時間領域で送られる。隣接するサブキャリア間の間隔は固定されてよく、サブキャリアの全体の数(K)は、システムの帯域幅に依存し得る。たとえば、Kは、1.25、2.5、5、10、または20メガヘルツ(MHz)のシステム帯域幅に対して、それぞれ、128、256、512、1024、または2048に等しくなり得る。システム帯域幅はまた、サブバンドに分割され得る。たとえば、サブバンドは1.08MHzをカバーすることができ、1.25、2.5、5、10または20MHzのシステム帯域幅に対して、それぞれ、1、2、4、8または16個のサブバンドが存在し得る。
【００３３】
図2は、LTEにおいて使用されるダウンリンクフレーム構造200を示す。ダウンリンクの伝送タイムラインを、無線フレームの単位202、204、206に区分できる。各無線フレームは、所定の持続時間(たとえば、10ミリ秒(ms))を有することができ、0〜9のインデックスを有する10個のサブフレーム208に区分され得る。各サブフレームは、2つのスロット、たとえばスロット210を含むことができる。したがって、各無線フレームは、0〜19のインデックスを有する20個のスロットを含み得る。各スロットは、L個のシンボル期間を含んでもよく、たとえば、図2に示されるように、通常のサイクリックプレフィックス(CP)に対して7個のシンボル期間212を含んでもよく、または、拡張されたサイクリックプレフィックスに対して6個のシンボル期間を含んでもよい。通常のCPおよび拡張CPは、本明細書では、異なるCPタイプと呼ばれ得る。各サブフレームにおける2L個のシンボル期間は、0〜2L-1のインデックスを割り振られ得る。利用可能な時間周波数リソースは、リソースブロックに分割され得る。各リソースブロックは、1つのスロットにおいてN個のサブキャリア(たとえば12個のサブキャリア)をカバーすることができる。
【００３４】
LTEでは、eNBは、eNBの各セルに対して、主要な同期信号(PSS)と、二次的な同期信号(SSS)とを送ることができる。図2に示されるように、主要な同期信号および二次的な同期信号は、通常のサイクリックプレフィックスを有する各無線フレームのサブフレーム0および5の各々において、それぞれシンボル期間6および5で送られ得る。同期信号が、セルの検出および取得のためにUEにより用いられ得る。eNBは、サブフレーム0のスロット1において、シンボル期間0から3で、物理ブロードキャストチャネル(PBCH)を送ることができる。PBCHは、特定のシステム情報を搬送することができる。
【００３５】
図2においては第1のシンボル期間全体が描かれているが、eNBは、各サブフレームの第1のシンボル期間の一部のみにおいて物理制御フォーマットインジケータチャネル(PCFICH)を送ることができる。PCFICHは、制御チャネルのために用いられるシンボル期間の数(M)を搬送することができ、Mは、1、2または3に等しくてよく、サブフレームにより異なっていてもよい。Mは、小さなシステム帯域幅、たとえば、10個未満のリソースブロックを有する帯域幅に対しては、4に等しくてもよい。図2に示される例では、M=3である。eNBは、各サブフレームの最初のM個のシンボル期間において(図2ではM=3)、物理HARQインジケータチャネル(PHICH)および物理ダウンリンク制御チャネル(PDCCH)を送ることができる。PHICHは、ハイブリッド自動再送信(HARQ)をサポートするための情報を搬送することができる。PDCCHは、UEに対するリソースの割り当てに関する情報と、ダウンリンクチャネルに対する制御情報とを、搬送することができる。図2における第1のシンボル期間には示されていないが、PDCCHおよびPHICHは第1のシンボル期間にも含まれ得ることは理解されたい。図2にはそのように示されていないが、同様に、PHICHおよびPDCCHは両方とも、第2のシンボル期間および第3のシンボル期間内にもあり得る。eNBは、各サブフレームの残りのシンボル期間において、物理ダウンリンク共有チャネル(PDSCH)を送ることができる。PDSCHは、ダウンリンクでのデータ送信が予定されている、UEのためのデータを搬送することができる。LTEにおける様々な信号およびチャネルは、「Evolved Universal Terrestrial Radio Access(E-UTRA)、Physical Channels and Modulation」という表題の3GPP TS 36.211で説明され、これは公開されている。
【００３６】
eNBは、eNBにより用いられるシステム帯域幅の中心1.08MHzにおいて、PSS、SSSおよびPBCHを送ることができる。eNBは、これらのチャネルが送られる各シンボル期間の中の、全体のシステム帯域幅にわたって、PCFICHおよびPHICHを送ることができる。eNBは、システム帯域幅のある部分で、UEのグループにPDCCHを送ることができる。eNBは、システム帯域幅の特定の部分で、特定のUEにPDSCHを送ることができる。eNBは、ブロードキャスト方式で、PSS、SSS、PBCH、PCFICHおよびPHICHをすべてのUEに送ることができ、ユニキャスト方式で、PDCCHを特定のUEに送ることができ、ユニキャスト方式で、PDSCHを特定のUEに送ることもできる。
【００３７】
いくつかのリソース要素が、各シンボル期間において利用可能であり得る。各リソース要素は、1つのシンボル期間において1つのサブキャリアをカバーすることができ、実数または複素数の値であり得る1つの変調シンボルを送るのに用いられ得る。各シンボル期間において参照信号に用いられないリソース要素は、リソース要素グループ(REG)となるように並べられ得る。各REGは、1つのシンボル期間に4個のリソース要素を含み得る。PCFICHは4個のREGを占有することができ、4個のREGは、シンボル期間0において、周波数全体でほぼ等しく間隔を置かれ得る。PHICHは3個のREGを占有することができ、3個のREGは、1つまたは複数の構成可能なシンボル期間において、周波数全体に分散し得る。たとえば、PHICHのための3個のREGは、すべてシンボル期間0に属してもよく、または、シンボル期間0、1および2に分散してもよい。PDCCHは、9、18、32、または64個のREGを占有してよく、これらのREGは、最初のM個のシンボル期間において、利用可能なREGから選択され得る。REGの特定の組合せのみが、PDCCHに対して許可され得る。
【００３８】
UEは、PHICHおよびPCFICHのために用いられる特定のREGを知っていてもよい。UEは、PDCCHのためにREGの異なる組合せを検索してもよい。検索すべき組合せの数は、通常、PDCCHに対して許可された組合せの数よりも少ない。eNBは、UEが検索する組合せのいずれにおいても、PDCCHをUEに送ることができる。
【００３９】
UEは、複数のeNBのカバレージ内にあり得る。そのUEをサービスするために、これらのeNBのうちの1つが選択され得る。サービングeNBは、受信電力、経路損失、信号対雑音比(SNR)など、様々な基準に基づいて選択され得る。
【００４０】
図3は、図1の基地局/eNBの1つであり得る基地局/eNB110および図1のUEの1つであり得るUE120の設計のブロック図を示している。制限された関連付けシナリオの場合、基地局110は図1のマクロeNB110cであり得、UE120はUE120yであり得る。基地局110は、フェムトセル、ピコセルなどを含むアクセスポイントなど何らかの他のタイプの基地局でもよい。基地局110は、アンテナ334a〜334tを備えてもよく、UE120は、アンテナ352aから352rを備えてもよい。
【００４１】
基地局110において、送信プロセッサ320は、データ源312からデータを受信し、コントローラ/プロセッサ340から制御情報を受信することができる。制御情報は、PBCH、PCFICH、PHICH、PDCCHなどのためのものであり得る。データは、PDSCHなどのためのものであり得る。プロセッサ320は、データと制御情報とを処理(たとえば、符号化およびシンボルマッピング)して、それぞれデータシンボルと制御シンボルとを取得し得る。プロセッサ320はまた、たとえば、PSS、SSS、およびセル固有参照信号のための参照シンボルを生成し得る。送信(TX)多入力多出力(MIMO)プロセッサ330は、適用可能な場合、データシンボル、制御シンボル、および/または参照シンボルに対して空間処理(たとえば、プリコーディング)を実行し得、出力シンボルストリームを変調器(MOD)332a〜332tに供給し得る。各変調器332は、(たとえば、OFDMなどの)それぞれの出力シンボルストリームを処理して出力サンプルストリームを取得し得る。各変調器332はさらに、ダウンリンク信号を取得するために、出力サンプルストリームを処理(たとえば、アナログへの変換、増幅、フィルタ処理、およびアップコンバート)することができる。変調器332a〜332tからのダウンリンク信号は、それぞれアンテナ334a〜334tを介して送信され得る。
【００４２】
UE120において、アンテナ352a〜352rは、基地局110からダウンリンク信号を受信することができ、それぞれ、受信された信号を復調器(DEMOD)354a〜354rに提供することができる。各復調器354は、それぞれの受信信号を調整(たとえば、フィルタ処理、増幅、ダウンコンバート、およびデジタル化)して入力サンプルを取得し得る。各復調器354はさらに、(たとえば、OFDMなどの)入力サンプルを処理して受信シンボルを取得し得る。MIMO検出器356は、すべての復調器354a〜354rから、受信されたシンボルを得て、可能な場合には受信されたシンボルに対してMIMO検出を実行し、検出されたシンボルを提供することができる。受信プロセッサ358は、検出されたシンボルを処理(たとえば、復調、デインターリーブ、および復号)し、UE120のための復号されたデータをデータシンク360に提供し、かつ復号された制御情報をコントローラ/プロセッサ380に提供することができる。
【００４３】
アップリンクでは、UE120において、送信プロセッサ364が、データ源362からのデータ(たとえば、PUSCHのための)、およびコントローラ/プロセッサ380からの制御情報(たとえば、PUCCHのための)を受信して処理することができる。プロセッサ364はまた、参照信号のための参照シンボルを生成することもできる。送信プロセッサ364からのシンボルは、TX MIMOプロセッサ366によりプリコーディングされ、可能な場合には、(たとえばSC-FDMなどのために)変調器354a〜354rによりさらに処理され、基地局110に送信され得る。基地局110において、UE120からのアップリンク信号は、アンテナ334により受信され、復調器332により処理され、可能な場合にはMIMO検出器336により検出され、受信プロセッサ338によりさらに処理されて、UE120により送られた、復号されたデータおよび制御情報を得ることができる。プロセッサ338は、復号されたデータをデータシンク339に提供し、かつ復号された制御情報をコントローラ/プロセッサ340に提供することができる。
【００４４】
コントローラ/プロセッサ340および380は、それぞれ基地局110およびUE120における動作を指示することができる。プロセッサ340ならびに/または基地局110における他のプロセッサおよびモジュールは、本明細書で説明される技法の様々な処理の実行を、遂行または指示することができる。UE120におけるプロセッサ380ならびに/または他のプロセッサおよびモジュールも、図4および図5に示す機能ブロックの実行、および/または本明細書で説明する技法のための他のプロセスを実施または指示し得る。メモリ342および382は、それぞれ、基地局110およびUE120のためのデータおよびプログラムコードを記憶することができる。スケジューラ344は、ダウンリンクおよび/またはアップリンクでのデータ送信について、UEをスケジューリングすることができる。
【００４５】
一構成では、ワイヤレス通信のためのUE120は、UEの接続モードの間、干渉する基地局から干渉を検出するための手段と、干渉する基地局の得られたリソースを選択するための手段と、得られたリソースにおける物理的なダウンリンク制御チャネルのエラー率を取得するための手段と、エラー率があらかじめ決定されたレベルを上回ることに応答して実行可能な、無線リンクの故障を宣言するための手段とを含む。一態様では、上記の手段は、上記の手段によって具陳される機能を実行するように構成されたプロセッサ、コントローラ/プロセッサ380、メモリ382、受信プロセッサ358、MIMO検出器356、復調器354a、およびアンテナ352aであり得る。別の態様では、上記の手段は、上記の手段によって具陳される機能を実行するように構成されたモジュールまたは任意の装置であり得る。
【００４６】
図4は、1つまたは複数のFAPがネットワーク環境内に配置される、例示的な通信システム400を示す。具体的には、システム400は、比較的小規模のネットワーク環境内(たとえば、1つまたは複数のユーザの住宅430内)に設置された、複数のFAP410Aおよび410B(たとえば、FAPまたはH(e)NB)を含む。各FAP410は、デジタル加入者回線(DSL)ルータ、ケーブルモデム、ワイヤレスリンク、または他の接続手段(図示せず)を介して、ワイドエリアネットワーク440(たとえば、インターネット)およびモバイル事業者コアネットワーク450に結合することができる。以下で論じるように、各FAP410は、関連するアクセス端末420(たとえば、アクセス端末420A)、および場合によっては異種のアクセス端末420(たとえば、アクセス端末420B)にサービスするように構成することができる。言い換えれば、FAP410に対するアクセスは、所与のアクセス端末420が1組の指定された(たとえば、ホーム)FAP410によってサービスされ得るが、任意の指定されていないFAP410(たとえば、隣接するFAP)によってサービスされ得ないように、制限することができる。
【００４７】
図5は、分散ノード(たとえば、アクセスポイント502、504および506)が、設置され得る、または、関連する地理的エリアにわたって移動することができる他のノード(たとえば、UE508、510および512)のワイヤレス接続を提供する通信システム500のサンプル態様を示す。いくつかの態様では、アクセスポイント502、504および506は、WAN接続を容易にするために、1つまたは複数のネットワークノード(たとえば、ネットワークノード514などの集中型ネットワークコントローラ)と通信することができる。
【００４８】
アクセスポイント504などのアクセスポイントは、いくつかのモバイルエンティティ(たとえば、UE510)のみがアクセスポイントにアクセスすることができるように制限され得る、または、アクセスポイントは、何らかの他の方法で制限され得る。そのような場合、制限されたアクセスポイントおよび/またはその関連するモバイルエンティティ(たとえば、UE510)は、たとえば制限されていないアクセスポイント(たとえば、マクロアクセスポイント502)、その関連するモバイルエンティティ(たとえば、UE508)、別の制限されたアクセスポイント(たとえば、アクセスポイント506)、またはその関連するモバイルエンティティ(たとえば、UE512)など、システム500における他のノードに干渉する可能性がある。たとえば、所与のUEに最も近いアクセスポイントは、所与のUEについてのサービングアクセスポイントでなくてもよい。したがって、所与のUEによる送信は、所与のUEに近いアクセスポイントによってサービスされている別のUEでの受信に干渉する場合がある。周波数再利用、周波数選択性送信、干渉除去、およびスマートアンテナ(たとえば、ビームフォーミングおよびヌルステアリング)、ならびに他の技法は、干渉を緩和するために使用され得る。
【００４９】
再び図4を参照すると、FAP410の所有者は、たとえば、モバイル事業者コアネットワーク450を介して提供される、3Gモバイルサービスなどのモバイルサービスに加入することができる。別の例では、ワイヤレスネットワークのカバレージを拡大するために、モバイル事業者コアネットワーク450によってFAP410を動作させることができる。加えて、アクセス端末420は、マクロ環境内と、より小規模(たとえば、住宅)のネットワーク環境内の両方で動作可能であり得る。したがって、たとえば、アクセス端末420の現在の位置に応じて、アクセス端末420は、マクロアクセスポイント460によって、または1組のFAP410(たとえば、対応するユーザの住宅430内に存在するFAP410Aおよび410B)のうちのいずれか1つによってサービスされ得る。たとえば、加入者が自分の家の外部にいるときは、加入者は標準的なマクロアクセスポイント(たとえば、ノード460)によってサービスされ、かつ加入者が家にいるときは、加入者はFAP(たとえば、ノード410A)によってサービスされる。ここで、FAP410は、既存のアクセス端末420との後方互換性があり得ることを諒解されたい。
【００５０】
FAP410は、単一の周波数上か、または代替として、複数の周波数上に配置することができる。特定の構成に応じて、単一の周波数、または複数の周波数のうちの1つもしくは複数は、マクロアクセスポイント(たとえば、ノード460)によって使用される1つまたは複数の周波数と重なる可能性がある。いくつかの態様では、アクセス端末420は、そのような接続が可能であるときはいつでも、好ましいFAP(たとえば、アクセス端末420のホームFAP)に接続するように構成することができる。たとえば、アクセス端末420がユーザの住宅430内にあるときはいつでも、アクセス端末420はホームFAP410と通信することができる。
【００５１】
いくつかの態様では、アクセス端末420がモバイル事業者コアネットワーク450内で動作するが、(たとえば、好ましいローミングリスト内に規定されたような)その最も好ましいネットワーク上に存在していない場合、より良いシステムが現在利用可能かどうかを判定するための利用可能なシステムの周期的走査、およびそのような好ましいシステムに関連付けるためのその後の努力を含み得るBetter System Reselection(BSR)を使用して、アクセス端末420は最も好ましいネットワーク(たとえば、FAP410)を探し続けることができる。一例では、(たとえば、好ましいローミングリスト内の)取得テーブル項目を使用して、アクセス端末420は特定の帯域およびチャネルに対する探索を制限することができる。たとえば、最も好ましいシステムに対する探索は、周期的に繰り返すことができる。FAP410などの好ましいFAPが発見されると、アクセス端末420は、そのカバレージエリア内のキャンピング用にFAP410を選択する。
【００５２】
いくつかの態様では、FAPは制限される可能性がある。たとえば、所与のFAPは、特定のアクセス端末に特定のサービスを提供することしかできない。いわゆる制限された(または限定された)関連付けを有する配置では、所与のアクセス端末は、マクロセルモバイルネットワークおよび規定されたセットのFAP(たとえば、対応するユーザの住宅430内に存在するFAP410)のみによってサービスされ得る。いくつかの実装形態では、FAPは、少なくとも1つのアクセス端末に、シグナリング、データアクセス、登録、ページング、またはサービスのうちの少なくとも1つを提供しないように制限され得る。
【００５３】
いくつかの態様では、(限定加入者グループH(e)NBと呼ばれることもある)制限FAPは、制限付きの供給されたセットのアクセス端末にサービスを提供するFAPである。このセットは、必要に応じて一時的または永続的に拡張することができる。いくつかの態様では、限定加入者グループ(CSG)は、アクセス端末の共通アクセス制御リストを共有するアクセスノード(たとえば、FAP)のセットとして規定することができる。ある領域内のすべてのFAP(またはすべての制限FAP)が動作するチャネルは、フェムトチャネルと呼ぶことができる。
【００５４】
所与のFAPと所与のアクセス端末との間には、このように様々な関係が存在する可能性がある。たとえば、アクセス端末の観点から、オープンFAPは制限された関連付けがないFAPを指すことができる。制限FAPは、何らかの方式で制限された(たとえば、関連付けおよび/または登録について制限された)FAPを指すことができる。ホームFAPは、その上でアクセス端末がアクセスおよび動作することを認可されたFAPを指すことができる。ゲストFAPは、その上でアクセス端末がアクセスまたは動作することを一時的に認可されたFAPを指すことができる。異種FAPは、おそらく緊急事態(たとえば911呼)を除いて、その上でアクセス端末がアクセスまたは動作することを認可されないFAPを指すことができる。
【００５５】
制限FAPの観点から、ホームアクセス端末は、制限FAPにアクセスすることを認可されたアクセス端末を指すことができる。ゲストアクセス端末は、制限FAPへの一時的なアクセス権を有するアクセス端末を指すことができる。異種アクセス端末は、おそらく緊急事態、たとえば911呼を除いて、制限FAPにアクセスする許可を有さないアクセス端末(たとえば、制限FAPに登録する資格証明または許可を有さないアクセス端末)を指すことができる。
【００５６】
便宜上、本開示は、FAPの文脈で様々な機能について本明細書で説明する。しかしながら、ピコノードは、より大きいカバレージエリアに対して、FAPと同じまたは同様の機能を提供することができることを諒解されたい。たとえば、ピコノードを制限すること、家庭用ピコノードを所与のアクセス端末に関して定義することなどが可能である。
【００５７】
本開示の1つまたは複数の実施形態によれば、専用のキャリアにおけるフェムトセルの配置を可能にするようにマクロセルの送信電力を調整することを決定するための技法が提供されている。送信電力は、マクロアクセスポイント110dにおける全送信電力を含み得る。全送信電力は、いずれかまたはすべての共通チャネル、制御チャネル、およびデータチャネルについての送信電力を含み得る。
【００５８】
帯域幅は、不十分なリソースであり、効率的に割り振られ、管理される必要があり得る。フェムトセルが専用のキャリアに配置されるとき、フェムトセルネットワークの容量オフロードゲインが最大にされ、フェムトセルが動作している同じチャネルにおけるマクロセルネットワークからの干渉がない。この点について、キャリアがマクロセルにおいてオフにされ得るように、もっぱらエリアにサービスすることができるフェムトセルの容量に達することが望ましい。すでにサービスされていないユーザがフェムトセル自体を配置し、フェムトセルの選定の速度を上げることができるので、カバレージエリアのすべてのセクションがフェムトセルによってカバーされる必要はない。具体的には、特定のキャリアを利用しているフェムトセルの数がネットワーク容量を最大にするのに十分大きくなると、マクロセルの電力は低下される、または完全にオフにされ得る。フェムトセルは、たとえば、様々なインターネットサービスプロバイダを介してインターネットを介するなど、追加のデータ経路を介してコアネットワークにアクセスすることができ、コアネットワークとの通信のための追加の帯域幅を提供することができる。マクロセルを低下するまたはオフにすることの決定は、所与の地理的エリアに配置されるフェムトセルの密度に基づき得る。フェムトセル配置密度の増加があらかじめ定義された閾値(たとえば、設置されたフェムトセルを含む所与の地理的エリア内の一定数または一定の割合の家庭など)を超えると、ネットワークは、フェムトセルが配置された所与の地理的エリアにおける特定のキャリアを利用しているマクロアクセスポイントの送信電力を低減することを決定することができる。追加または代替として、ネットワークは、マクロアクセスポイントの送信電力を段階的に低減し、最終的にはオフにすることによって、マクロアクセスポイントをオフにすることを決定することができる。電力を低減する、またはマクロアクセスポイントを完全にオフにすることの決定は、ネットワークトラフィック、データ需要、またはネットワークのシグナリング負荷、フェムトセルおよび/もしくはマクロセルのバックホール容量、またはマクロセルもしくはピコセルのカバレージエリアにおけるバックホールコストにも部分的に基づき得る。たとえば、ネットワークトラフィック、データ需要、またはネットワークのシグナリング負荷があらかじめ定義された閾値を満たす、または超える場合、ネットワークは、フェムトセルへのより大きいオフロードを可能にするために、マクロアクセスポイントを低下するまたはオフにし、したがって、データ需要またはシグナリング負荷を扱うためのネットワーク容量を増加させ得る。
【００５９】
本開示の別の態様では、ネットワークは、フェムトセル密度を増加させ、全ネットワーク容量を最大にするためにユーザまたはネットワーク事業者によってフェムトセルの配置を促進するために、特定の地理的エリア内のマクロアクセスポイントを低減(またはシャットダウン)し始めることができる。
【００６０】
ひとたびマクロアクセスポイントが低下またはオフにされると、フェムトセルアクセスモードをクローズドアクセスモードからオープンまたはハイブリッドのアクセスモードに変更することによって、フェムトセルは、「プライベート」フェムトセルから「パブリック」フェムトセルに切り替えられ得る。ネットワークは、フェムトセルアクセスモードを変更することに加えて、フェムト送信電力を増加させ得る。
【００６１】
図6A〜図6Bは、FAPの密度の増加に伴うFAP配置シナリオを示す。図6Aは、FAPの密度が低いFAP配置を示す。マクロアクセスポイント110dは、マクロセル102dにおけるワイヤレスデバイスのサービスカバーエリアを提供する。マクロセル102d内にあるフェムトセル110e〜fは、FAP110e〜fのカバレージエリア内のモバイルデバイスにサービスを提供することができる。FAPは、たとえばホームノードB(HNB)管理システム(HMS)、保守運用管理(OAM)システム、または集中型自己組織化ネットワーク(SON)サーバなど、コアネットワークエンティティと通信している可能性がある。
【００６２】
コアネットワークエンティティは、最初または次の動作のためにFAPを構成することができる。追加または代替として、FAPは、FAPのユーザによって、または別のネットワークエンティティによって、事前に構成、または構成され得る。たとえば、コアネットワークエンティティは、マクロセル102dのカバーエリアのパラメータおよび設定でFAPを構成することができる。FAPは、所与の組の周波数または時間リソース、および1つまたは複数の所与のチャネルにおいて動作するように構成され得る。所与のチャネルは、1組の時間または周波数リソースを占め得る。FAPは、あらかじめ定義された組のワイヤレスデバイスをサポートするためにクローズドアクセスモードになるように構成され得る。
【００６３】
図6Aの例では、FAPがマクロセル102dのカバレージエリア内の家庭の1パーセントに設置されているとき、FAPの密度は、たとえば1パーセントとすることができる。ネットワークは、たとえば2パーセントなど、あらかじめ定義された閾値でマクロアクセスポイント電力を調整するように構成され得る。マクロセルの電力は、長期の時間スケールで、または永続的に低減され得る。たとえば、時間スケールは、マクロアクセスポイント110dの寿命程度であり得る。永続的なマクロアクセスポイント110dの電力の低減は、ユーザによるさらなるフェムトセルの配置を促進し得る。追加または代替として、FAPの密度が閾値未満に低下すると、ネットワークは、マクロアクセスポイント110dの送信電力を増加させることを決定することができる。
【００６４】
たとえば家庭の3パーセントなど、密度が別の閾値に達すると、ネットワークは、マクロアクセスポイント110dでのキャリアの送信をオフにすることができる。マクロアクセスポイントは、1つまたは複数のキャリアにおいて動作することができ、キャリアのうちの1つまたは複数がオフにされ得る。ワイヤレス送信がもっぱらマクロアクセスポイント110dで終わるように、ネットワークは、マクロアクセスポイント110dにおける全送信電力をオフにすることを決定することができる。全送信は、いずれかまたはすべての共通チャネル、制御チャネル、およびデータチャネルについての送信を含み得る。ネットワークは、FAP110e〜fとの通信に基づいて、または、たとえばアカウンティング、および他の情報など、間接的な方法によって、密度を決定することができる。追加または代替として、FAPは、ネットワークへのメッセージで指示を送ることができる。フェムトセルの密度は、フェムトセルの追加または除去に基づいてもよい。フェムトセルが追加または除去されると、ネットワークは、追加または除去の指示を記憶することができる。
【００６５】
図6Aに戻ると、いくつかのフェムトセル110e〜fがマクロセル102dのカバレージエリア内にある。ネットワークは、FAP110e〜fの登録によって、またはFAPとの通信を介してFAPの数を知ることができる。マクロアクセスポイント110dは、マクロセル102dのカバレージエリアにサービスするための所与の送信電力で正常に動作している可能性がある。ネットワークは、マクロセル110dのカバレージエリアにおけるFAP110e〜fの密度を決定する。FAP110e〜fの密度があらかじめ定義された密度閾値(たとえば2パーセント)未満であることを決定することに応答して、ネットワークは、マクロアクセスポイント110dの送信電力を調整することを抑制することができる。
【００６６】
別の例では、フェムトセルの配置を促進し、速度を上げるために、マクロアクセスポイント110dの送信電力が低減され得る。たとえば、図6Aの例で、FAPの密度が閾値未満であるという決定の場合でさえ、たとえば、ネットワークは、マクロアクセスポイント110dの送信電力を低減することができる。
【００６７】
図6Bは、図6Aと比較して増加した数のFAPを含むFAP配置を示す。マクロセル102dのカバレージエリアにFAP110g〜iが追加されている。図6Bの例のFAPの密度は、2パーセントとすることができる。ネットワークは、増加した密度を検出し、密度を閾値と比較する。たとえば2パーセントなど、FAPの密度があらかじめ定義された閾値を満たしていることを決定すると、ネットワークは、マクロアクセスポイント110dの送信電力を調整することを決定することができる。ネットワークは、マクロアクセスポイント110dの送信電力を低減する、または完全にオフにすることができる。ネットワークは、マクロアクセスポイント110dのキャリアを低減する、または完全にオフにすることができる。キャリアは、FAP110e〜fによる使用の専用であり得る。追加または代替として、ネットワークは、増分的に電力を低減することができる。たとえば、ネットワークは、1組の閾値に基づいて、マクロアクセスポイント110dの送信電力を低減し、閾値の組の最後の閾値に基づいて、1つまたは複数のキャリアの送信電力をオフにすることができる。
【００６８】
キャリアがオフにされる、または、マクロアクセスポイント110dの全送信電力がオフにされる場合、ネットワークは、クローズドアクセスモードで動作しているFAPのうちの1つまたは複数をオープンアクセスモードまたはハイブリッドアクセスモードに再構成することができる。オープンアクセスモードまたはハイブリッドアクセスモードは、マクロセル102dのカバレージエリア内の他のワイヤレスデバイスに対するサービスを可能にし、より大きいオフロードゲインを達成することができる。ひとたびマクロセル上のキャリアがオフにされると、マクロセルとフェムトセルとの間の潜在的な干渉が低減または排除される。キャリアは、マクロセル102dのカバレージエリア内のFAPによる使用の専用であり得る。追加として、キャリアは、隣接するまたは近隣のマクロアクセスポイントでオフにされ得る。隣接するマクロアクセスポイントにおけるキャリアをオフにすることは、キャリア上の干渉の可能性をさらに低減し得る。
【００６９】
図7は、マクロアクセスポイントの送信電力を調整するための例示的なプロセス図を示す。720で、たとえばコアネットワークエンティティ702にあるネットワークは、1つまたは複数のFAP、たとえばFAP706a〜706rを動作のために構成することができる。たとえば、コアネットワークエンティティ702は、HMS、OAM、またはSONシステムでもよい。追加または代替として、FAP706a〜706rは、他のネットワークエンティティによって構成される、製造中に事前構成される、またはFAPのユーザによって構成され得る。コアネットワークエンティティ702は、FAP706a〜706rをワイヤレスシステムの所与のチャネルにおいて動作するように構成することができる。FAP706a〜706rは、ユーザまたは他のネットワークエンティティによってさらに構成され得る。所与のチャネルは、いくつかの周波数または時間リソースを占め得る。722で、コアネットワークエンティティ702は、FAP706a〜706rの使用情報を受信するかまたは場合によっては取得する。フェムトセルからの使用情報に基づいて、コアネットワークエンティティ702は、マクロアクセスポイント704のカバレージエリアにおけるFAPの密度を決定することができる。密度は、密度閾値を満たすまたは超えることができる。ステップ724で、FAPの密度が密度閾値を満たしているまたは超えていることを決定することに基づいて、コアネットワークエンティティ702は、マクロアクセスポイント704の送信電力を調整することができる。たとえば、コアネットワークエンティティ702は、マクロアクセスポイント704での送信電力を低下させることができる。730で、コアネットワークエンティティ702は、マクロアクセスポイント704がキャリアをオフにする、またはマクロアクセスポイント704における送信電力を完全にオフにするために随意に信号を送ることができる。送信電力調整は、長期的電力調整であり得る。
【００７０】
マクロアクセスポイント704のキャリアまたは全送信電力がオフにされた後、コアネットワークエンティティ702は、732で、FAPの送信電力を随意に増加させることができる。コアネットワークエンティティ702は、736で、1つまたは複数のFAPのアクセスモードを、クローズドアクセスモードからオープンアクセスモードまたはハイブリッドアクセスモードに随意に切り替えることができる。FAPからの増加した送信電力は、マクロセルカバレージエリアにおけるワイヤレスデバイスのカバレージを提供することができる。ワイヤレスデバイスが以前クローズドアクセスモードのFAPにアクセスすることができなかった場合、オープンアクセスモードまたはハイブリッドアクセスモードのFAPは、エリアにある追加のワイヤレスデバイスにサービスすることができる。
【００７１】
図8は、FAP密度に基づいてマクロアクセスポイントの時間または周波数リソースを構成するための例示的なプロセス図を示す。マクロアクセスポイント704およびFAP706a〜706rは、異なるリソースを使用するように構成され得る。マクロアクセスポイント704は、FAP706a〜706rによって使用される時間または周波数リソースに直交する時間または周波数リソースを使用することができる。時間または周波数リソースは、リソースのサブセットに区分され得る。サブセットは、互いに直交し得る。FAP706a〜706rは、第1のサブセットを使用するように構成され得る。マクロセルカバレージエリア内のフェムトセルの密度が閾値を満たすまたは超えることが決定されると、マクロセルは、リソースの第2のサブセットを使用するように構成され得る。周波数または時間が互いに干渉しないように、リソースは直交になるように選択される。マクロアクセスポイント704のエリアにあるFAPが少ないとき、マクロアクセスポイントとFAPとの間の干渉が制限され得るので、マクロアクセスポイント704は、同じ時間または周波数リソースにおいて動作し得る。一方、フェムトセルの数または密度がある閾値まで増加する、またはそれを上回ると、より多くの数のFAPがマクロアクセスポイントとの干渉を増加させるので、時間または周波数リソースを共有することの恩恵は減少する。
【００７２】
820で、コアネットワークエンティティ702は、マクロアクセスポイント704を、ワイヤレスネットワークの時間または周波数リソースを使用するように構成することができる。たとえば、コアネットワークエンティティ702は、HMS、OAM、またはSONシステムでもよい。822で、コアネットワークエンティティ702は、所与のチャネル上の動作のために、1つまたは複数のFAP706a〜706rを構成する。たとえば、コアネットワークエンティティ702は、FAP706a〜706rを、時間または周波数リソースの第1のサブセットを使用するように構成することができる。824で、コアネットワークエンティティ702は、FAP706a〜706rの使用情報を検出または取得することができる。使用情報に基づいて、826で、コアネットワークエンティティ702は、マクロアクセスポイント704を、異なる時間または周波数リソースを使用するように構成することができる。たとえば、異なる時間または周波数リソースは、リソースの第1のサブセットに直交するリソースの第2のサブセットであり得る。直交周波数または時間リソースの割振りによって、FAP706a〜706rおよびマクロアクセスポイント704は、干渉を回避することができる。
【００７３】
本明細書で説明する実施形態の1つまたは複数の態様によれば、図9を参照すると、たとえばHMS、OAMサーバ、SONサーバなどのネットワークエンティティによって動作可能である方法900が示されている。具体的には、方法900は、配置された小カバレージ基地局(たとえば、フェムトセルなど)に基づいてマクロアクセスポイントの電力を調整する方法を説明する。方法900は、902で、少なくとも1つの小カバレージ基地局を、所与のチャネルにおいて動作するように構成するステップを伴い得る。方法900は、904で、所与のチャネルにおける少なくとも1つの小カバレージ基地局の使用情報を検出するステップを伴い得る。さらに、この方法は、906で、使用情報に少なくとも一部分基づいて、カバレージエリアにおける少なくとも1つの大カバレージ基地局(たとえばマクロセルまたはピコセル)の送信電力を調整するステップを伴い得る。使用情報は、小カバレージ基地局に関連付けられた様々な情報を指し得る。たとえば、使用情報は、カバレージエリアに配置されたフェムトセルの密度、ネットワークのデータ需要、カバレージエリアのバックホール容量などを指し得る。
【００７４】
図10を参照すると、オプションであり、ネットワークエンティティなどによって実行され得る図9の方法900のさらなる動作1000または態様が示される。方法1000が図10の少なくとも1つのブロックを含む場合、方法1000は、例示され得る任意の次のダウンストリームのブロックを必ずしも含む必要はなく、少なくとも1つのブロックの後終了することができる。ブロックの番号はブロックが方法1000に従って実行され得る特定の順序を含意していないことにさらに留意されたい。たとえば、方法1000は、長期的な時間スケールで調整するステップ(ブロック1002)と、使用情報が所与のチャネルに関連付けられた閾値レベル未満になることに応答して、少なくとも1つの大カバレージ基地局の送信電力を増加させるステップ(ブロック1004)と、使用情報が所与のチャネルに関連付けられた閾値レベルを上回ることに応答して、少なくとも1つの大カバレージ基地局の送信電力を低減するステップ(ブロック1006)と、少なくとも1つの大カバレージ基地局の送信電力を終了するステップ(ブロック1008)と、少なくとも1つの大カバレージ基地局のキャリアをオフにするステップ(ブロック1010)と、少なくとも1つの小カバレージ基地局による専用の使用のためにキャリアを割り当てるステップ(ブロック1012)と、少なくとも1つの小カバレージ基地局の動作モードをクローズドアクセスモードからオープンアクセスまたはハイブリッドアクセスモードに切り替えるステップ(ブロック1014)と、少なくとも1つの小カバレージ基地局の送信電力を増加させるステップ(ブロック1016)とをさらに伴い得る。
【００７５】
本明細書で説明する実施形態の1つまたは複数の態様によれば、図11を参照すると、たとえばHMS、OAMサーバなどのネットワークエンティティによって動作可能である方法1100が示されている。具体的には、方法1100は、大カバレージ基地局(たとえば、マクロセル、ピコセルなど)のためにリソースの使用を構成する方法を説明する。この方法1100は、1102で、少なくとも1つの大カバレージ基地局を、ネットワークの時間または周波数リソースを使用するように構成するステップを伴い得る。この方法1100は、1104で、少なくとも1つの小カバレージ基地局を、時間または周波数リソースの第1のサブセットを使用するように構成するステップを伴い得る。この方法1100は、1106で、所与のカバレージエリアにおける小カバレージ基地局の密度が定義された閾値レベルまで増加することに応答して、少なくとも1つの大カバレージ基地局を、時間または周波数リソースの第2のサブセットを使用するように構成するステップであり、第2のサブセットが、第1のサブセットにおける時間または周波数リソースに直交する時間または周波数リソースを含む、ステップを伴い得る。
【００７６】
図12を参照すると、ワイヤレスシステム1200におけるネットワークエンティティ(たとえば、HMS、OAM、またはSONサーバ)として、または装置内で使用するためのプロセッサまたは類似のデバイス/構成要素として構成され得る例示的な装置1202が設けられている。装置1202は、プロセッサ、ソフトウェア、またはその組合せ(たとえばファームウェア)によって実施される機能を表すことができる機能ブロックを含み得る。たとえば、装置1202は、少なくとも1つの小カバレージ基地局を、所与のチャネルにおいて動作するように構成するためのフェムトセル構成要素1210を含み得る。フェムトセル構成要素1210は、少なくとも1つの小カバレージ基地局を、所与のチャネルにおいて動作するように構成するためのものであり得る、またはそのための手段を含み得る。前記の手段は、1つまたは複数のプロセッサによって実行されるアルゴリズムを含み得る。アルゴリズムは、たとえば、図9に関連して上述したアルゴリズム902のうちの1つまたは複数を含むことができる。
【００７７】
装置1202は、所与のチャネルにおける少なくとも1つの小カバレージ基地局の使用情報を検出するための使用情報検出構成要素1212を含み得る。使用情報検出構成要素1212は、所与のチャネルにおける少なくとも1つの小カバレージ基地局の使用情報を検出するためのものであり得る、またはそのための手段を含み得る。前記の手段は、1つまたは複数のプロセッサによって実行されるアルゴリズムを含み得る。アルゴリズムは、たとえば、図9に関連して上述したアルゴリズム904を含むことができる。
【００７８】
装置1202は、使用情報に少なくとも一部分基づいて、カバレージエリアにおける少なくとも1つの大カバレージ基地局の全送信電力を調整するためのマクロセル構成要素1214を含み得る。マクロセル構成要素1214は、使用情報に少なくとも一部分基づいて、カバレージエリアにおける少なくとも1つの大カバレージ基地局の全送信電力を調整するためのものであり得る、またはそのための手段を含み得る。前記の手段は、1つまたは複数のプロセッサによって実行されるアルゴリズムを含み得る。アルゴリズムは、たとえば、図9に関連して上述したアルゴリズム906を含むことができる。
【００７９】
別の態様では、マクロセル構成要素1214は、少なくとも1つの大カバレージ基地局を、ネットワークの時間または周波数リソースを使用するように構成するために構成され得る。マクロセル構成要素1214は、少なくとも1つの大カバレージ基地局を、ネットワークの時間または周波数リソースを使用するように構成するためのものであり得る、またはそのための手段を含み得る。前記の手段は、1つまたは複数のプロセッサによって実行されるアルゴリズムを含み得る。アルゴリズムは、たとえば、図11に関連して上述したアルゴリズム1102のうちの1つまたは複数を含むことができる。
【００８０】
フェムトセル構成要素1210は、少なくとも1つの小カバレージ基地局を、時間または周波数リソースの第1のサブセットを使用するように構成するために構成され得る。フェムトセル構成要素1210は、少なくとも1つの大カバレージ基地局を、ネットワークの時間または周波数リソースを使用するように構成するためのものであり得る、またはそのための手段を含み得る。前記の手段は、1つまたは複数のプロセッサによって実行されるアルゴリズムを含み得る。アルゴリズムは、たとえば、図11に関連して上述したアルゴリズム1104のうちの1つまたは複数を含むことができる。
【００８１】
マクロセル構成要素1214は、所与のカバレージエリアにおける小カバレージ基地局の密度が定義された閾値レベルまで増加することに応答して、少なくとも1つの大カバレージ基地局を、時間または周波数リソースの第2のサブセットを使用するように構成するために構成され得、第2のサブセットが、第1のサブセットにおける時間または周波数リソースに直交する時間または周波数リソースを含む。マクロセル構成要素1214は、所与のカバレージエリアにおける小カバレージ基地局の密度が定義された閾値レベルまで増加することに応答して、少なくとも1つの大カバレージ基地局を、時間または周波数リソースの第2のサブセットを使用するように構成するためのものであり得る、またはそのための手段であり得、第2のサブセットが、第1のサブセットにおける時間または周波数リソースに直交する時間または周波数リソースを含む。前記の手段は、1つまたは複数のプロセッサによって実行されるアルゴリズムを含み得る。アルゴリズムは、たとえば、図11に関連して上述したアルゴリズム1106のうちの1つまたは複数を含むことができる。
【００８２】
さらに、ネットワークエンティティ1202は、構成要素1210〜1214に関連付けられた機能を実行するための命令を保持するメモリ1232を含むことができる。メモリ1232の外部にあるものとして示されているが、構成要素1210〜1214のうちの1つまたは複数は、メモリ1232の内部に存在できることを理解されたい。一例では、構成要素1210〜1214は、少なくとも1つのプロセッサを含むことができ、または各構成要素1210〜1214は、少なくとも1つのプロセッサの対応するモジュールとすることができる。さらに、追加または代替の例では、構成要素1210〜1214は、コンピュータ可読媒体を含むコンピュータプログラム製品である可能性があり、各構成要素1210〜1214は、対応するコードである可能性がある。
【００８３】
関係する態様では、ネットワークエンティティ1202は、少なくとも1つのプロセッサを有するプロセッサ構成要素1230を随意に含み得る。プロセッサ1230は、そのような場合、バス1240または類似の通信結合を介して構成要素1210〜1214と動作可能に通信することができる。プロセッサ1230は、構成要素1210〜1214によって実行されるプロセスまたは機能の開始およびスケジューリングを実施することができる。
【００８４】
さらなる関係する態様では、ネットワークエンティティ1202は、無線トランシーバ構成要素1234を含むことができる。スタンドアロン受信機および/またはスタンドアロン送信機が、トランシーバ構成要素1234の代わりに、またはそれと連動して使用され得る。ネットワークエンティティ1202は、たとえばマクロアクセスポイント1206またはFAP1204など、1つまたは複数のネットワークエンティティに接続するためのネットワークインターフェース(図示せず)も含み得る。
【００８５】
情報および信号は、様々な異なる技術および技法のいずれかを使用して表され得ることが、当業者には理解されよう。たとえば、上記の説明全体にわたって言及され得るデータ、命令、コマンド、情報、信号、ビット、シンボル、およびチップは、電圧、電流、電磁波、磁界もしくは磁性粒子、光場もしくは光学粒子、またはそれらの任意の組合せによって表され得る。
【００８６】
さらに、本明細書の開示に関して説明した様々な例示的な論理ブロック、モジュール、回路、およびアルゴリズムステップは、電子ハードウェア、コンピュータソフトウェア、または両方の組合せとして実装され得ることを、当業者は理解されよう。ハードウェアとソフトウェアのこの互換性を明確に示すために、様々な例示的なコンポーネント、ブロック、モジュール、回路、およびステップは、上では概してそれらの機能に関して説明されてきた。そのような機能をハードウェアとして実装するか、またはソフトウェアとして実装するかは、具体的適用例および全体的なシステムに課される設計制約に依存する。当業者は、説明された機能を具体的な適用例ごとに様々な方法で実装し得るが、そのような実装の決定は、本開示の範囲からの逸脱を生じるものと解釈すべきではない。
【００８７】
本明細書の開示に関して説明する様々な例示的な論理ブロック、モジュール、および回路は、汎用プロセッサ、デジタル信号プロセッサ(DSP)、特定用途向け集積回路(ASIC)、フィールドプログラマブルゲートアレイ(FPGA)またはもしくは他のプログラマブル論理デバイス、個別ゲートまたはもしくはトランジスタ論理、個別ハードウェア構成要素、または本明細書で説明する機能を実行するように設計されたそれらの任意の組合せで実装または実行することができる。汎用プロセッサはマイクロプロセッサであり得るが、代替として、汎用プロセッサは任意の従来のプロセッサ、コントローラ、マイクロコントローラ、または状態機械であり得る。プロセッサはまた、コンピューティングデバイスの組合せ、たとえば、DSPとマイクロプロセッサとの組合せ、複数のマイクロプロセッサ、DSPコアと連携する1つもしくは複数のマイクロプロセッサ、または任意の他のそのような構成として実装され得る。
【００８８】
本明細書の開示に関して説明する方法またはアルゴリズムのステップは、直接ハードウェアで実施されるか、プロセッサによって実行されるソフトウェアモジュールで実施されるか、またはその2つの組合せで実施され得る。ソフトウェアモジュールは、RAMメモリ、フラッシュメモリ、ROMメモリ、EPROMメモリ、EEPROMメモリ、レジスタ、ハードディスク、リムーバブルディスク、CD-ROM、または当技術分野で知られている任意の他の形態の記憶媒体中に存在し得る。例示的な記憶媒体は、プロセッサが記憶媒体から情報を読み取り、かつ記憶媒体に情報を書き込むことができるように、プロセッサに結合される。代替として、記憶媒体はプロセッサと一体であり得る。プロセッサおよび記憶媒体はASIC中に常駐し得る。ASICはユーザ端末中に常駐し得る。代替として、プロセッサおよび記憶媒体は、ユーザ端末中に個別構成要素として常駐し得る。
【００８９】
1つまたは複数の例示的な設計では、説明した機能を、ハードウェア、ソフトウェア、ファームウェア、または任意のそれらの組合せで実装することができる。ソフトウェアで実装される場合、機能は、1つまたは複数の命令またはコードとしてコンピュータ可読媒体上に記憶されるか、またはコンピュータ可読媒体を介して送信され得る。コンピュータ可読媒体は、ある場所から別の場所へのコンピュータプログラムの転送を容易にする任意の媒体を含む、コンピュータ記憶媒体とコンピュータ通信媒体の両方を含む。記憶媒体は、汎用または専用コンピュータによってアクセスされ得る任意の利用可能な媒体であってよい。限定ではなく例として、そのようなコンピュータ可読媒体は、RAM、ROM、EEPROM、CD-ROMもしくは他の光ディスクストレージ、磁気ディスクストレージもしくは他の磁気ストレージデバイス、または、命令またはデータ構造の形態の所望のプログラムコード手段を搬送または記憶するために使用され汎用もしくは専用コンピュータまたは汎用もしくは専用プロセッサによってアクセスされ得る、任意の他の媒体を備え得る。さらに、いかなる接続もコンピュータ可読媒体と適切に呼ばれる。たとえば、ソフトウェアが、同軸ケーブル、光ファイバケーブル、ツイストペア、デジタル加入者回線(DSL)、または赤外線、無線、およびマイクロ波などのワイヤレス技術を使用して、ウェブサイト、サーバ、または他のリモートソースから送信される場合、同軸ケーブル、光ファイバケーブル、ツイストペア、DSL、または赤外線、無線、およびマイクロ波などのワイヤレス技術は、媒体の定義に含まれる。本明細書で使用する場合、ディスク(disk)およびディスク(disc)は、コンパクトディスク(CD)、レーザーディスク(登録商標)、光ディスク、デジタル多用途ディスク(DVD)、フロッピー(登録商標)ディスク、およびブルーレイディスクを含み、ディスク(disk)は、通常、磁気的にデータを再生し、ディスク(disc)は、レーザーで光学的にデータを再生する。上記の組合せもコンピュータ可読媒体の範囲内に含めるべきである。
【００９０】
本開示の前述の説明は、いかなる当業者でも本開示を作成または使用することができるように提供される。本開示への様々な修正が当業者には容易に明らかになることになり、本明細書に定義する一般原理は、本開示の趣旨および範囲を逸脱することなしに他の変形形態に適用され得る。したがって、本開示は、本明細書で説明される例および設計に限定されるものではなく、本明細書で開示する原理および新規の特徴に一致する最大の範囲を与えられるものである。
【符号の説明】
【００９１】
100  ワイヤレス通信システム
102a  マクロセル
102b  マクロセル
102c  マクロセル
102x  ピコセル
102y  フェムトセル
102z  フェムトセル
110a  eNB
110b  eNB
110c  eNB
110d  マクロアクセスポイント
110r  中継局
110x  eNB
110y  eNB
110z  eNB
120r  UE
130  ネットワークコントローラ
200  ダウンリンクフレーム構造
202  無線フレーム
204  無線フレーム
206  無線フレーム
208  サブフレーム
210  スロット
212  シンボル期間
312  データ源
320  送信プロセッサ
330  送信(TX)多入力多出力(MIMO)プロセッサ
332a  変調器
332t  変調器
334a  アンテナ
334t  アンテナ
338  受信プロセッサ、プロセッサ
339  データシンク
340  コントローラ/プロセッサ
342  メモリ
344  スケジューラ
352a  アンテナ
352r  アンテナ
354a  復調器
354r  復調器
356  MIMO検出器
358  受信プロセッサ
360  データシンク
362  データ源
364  送信プロセッサ
366  TX MIMOプロセッサ
380  コントローラ/プロセッサ
382  メモリ
400  通信システム
410A  FAP
410B  FAP
420A  アクセス端末
420B  アクセス端末
430  ユーザの住宅
440  ワイドエリアネットワーク
450  モバイル事業者コアネットワーク
460  マクロアクセスポイント
500  通信システム
502  アクセスポイント
504  アクセスポイント
506  アクセスポイント
508  UE
510  UE
512  UE
702  コアネットワークエンティティ
704  マクロアクセスポイント
706a  FAP
706r  FAP
902  アルゴリズム
904  アルゴリズム
906  アルゴリズム
1102  アルゴリズム
1104  アルゴリズム
1106  アルゴリズム
1200  ワイヤレスシステム
1202  装置、ネットワークエンティティ
1210  フェムトセル構成要素
1212  使用情報検出構成要素
1214  マクロセル構成要素
1230  プロセッサ構成要素、プロセッサ
1232  メモリ
1234  無線トランシーバ構成要素
1240  バス
【図１】
2015508271.tif 000003
【図２】
2015508271.tif 000004
【図３】
2015508271.tif 000005
【図４】
2015508271.tif 000006
【図５】
2015508271.tif 000007
【図６Ａ】
2015508271.tif 000008
【図６Ｂ】
2015508271.tif 000009
【図７】
2015508271.tif 000010
【図８】
2015508271.tif 000011
【図９】
2015508271.tif 000012
【図１０】
2015508271.tif 000013
【図１１】
2015508271.tif 000014
【図１２】
2015508271.tif 000015
【手続補正書】
【提出日】平成26年4月24日(2014.4.24)
【手続補正１】
【補正対象書類名】特許請求の範囲
【補正対象項目名】全文
【補正方法】変更
【補正の内容】
【特許請求の範囲】
【請求項１】
カバレージエリアにおいて少なくとも1つの小カバレージ基地局を配置することによってネットワークのネットワーク容量を管理するための、ネットワークエンティティによって動作可能な方法であって、
前記少なくとも1つの小カバレージ基地局を、所与のチャネルにおいて動作するように構成するステップと、
前記所与のチャネルにおける前記少なくとも1つの小カバレージ基地局の使用情報を検出するステップと、
前記使用情報に少なくとも一部分基づいて、前記カバレージエリアにおける少なくとも1つの大カバレージ基地局の全送信電力を低下させて、それによって、前記小カバレージ基地局への容量オフロードを増加させ、またはその逆を行うステップと
を含む方法。
【請求項２】
前記全送信電力が、すべての共通、制御、およびデータチャネルの送信電力を備える、請求項1に記載の方法。
【請求項３】
調整するステップが、長期的な時間スケールで調整するステップを含む、請求項1に記載の方法。
【請求項４】
調整するステップが、前記使用情報が前記所与のチャネルに関連付けられた閾値レベル未満になることに応答して、前記少なくとも1つの大カバレージ基地局の送信電力を増加させるステップを含む、請求項1に記載の方法。
【請求項５】
調整するステップが、前記使用情報が前記所与のチャネルに関連付けられた閾値レベルを上回ることに応答して、前記少なくとも1つの大カバレージ基地局の送信電力を低減するステップを含む、請求項1に記載の方法。
【請求項６】
前記少なくとも1つの大カバレージ基地局の前記送信電力を終了するステップをさらに含む請求項5に記載の方法。
【請求項７】
調整するステップが、前記少なくとも1つの大カバレージ基地局のキャリアをオフにするステップを含む、請求項1に記載の方法。
【請求項８】
前記少なくとも1つの小カバレージ基地局による専用の使用のために前記キャリアを割り当てるステップをさらに含む請求項7に記載の方法。
【請求項９】
前記使用情報が、前記カバレージエリアにおける配置された小カバレージ基地局の密度を含む、請求項1に記載の方法。
【請求項１０】
前記使用情報が、ワイヤレス通信ネットワークのデータ需要を含む、請求項1に記載の方法。
【請求項１１】
前記使用情報が、前記少なくとも1つの小カバレージ基地局の所与のカバレージエリアのバックホール容量を含む、請求項1に記載の方法。
【請求項１２】
前記少なくとも1つの小カバレージ基地局の動作モードをクローズドアクセスモードからオープンアクセスまたはハイブリッドアクセスモードに切り替えるステップ
をさらに含む請求項1に記載の方法。
【請求項１３】
前記少なくとも1つの小カバレージ基地局の送信電力を増加させるステップをさらに含む請求項12に記載の方法。
【請求項１４】
前記ネットワークエンティティが、ホームノードB(HNB)管理システム(HMS)、保守運用管理(OAM)サーバ、または集中型SONサーバを含み、
前記少なくとも1つの大カバレージ基地局がマクロセルまたはピコセルを含み、
前記少なくとも1つの小カバレージ基地局がフェムトセルを含む
請求項1に記載の方法。
【請求項１５】
前記ネットワークエンティティが、ホームノードB(HNB)管理システム(HMS)、保守運用管理(OAM)サーバ、または集中型SONサーバを含み、
前記少なくとも1つの大カバレージ基地局がマクロセルを含み、
前記少なくとも1つの小カバレージ基地局がピコセルを含む
請求項1に記載の方法。
【請求項１６】
少なくとも1つの小カバレージ基地局を、所与のチャネルにおいて動作するように構成し、前記所与のチャネルにおける前記少なくとも1つの小カバレージ基地局の使用情報を検出し、前記使用情報に少なくとも一部分基づいて、カバレージエリアにおける少なくとも1つの大カバレージ基地局の全送信電力を低下させて、それによって、前記小カバレージ基地局への容量オフロードを増加させ、またはその逆を行うように構成された少なくとも1つのプロセッサと、
データを記憶するための前記少なくとも1つのプロセッサに結合されたメモリと
を含む装置。
【請求項１７】
前記全送信電力が、すべての共通、制御、およびデータチャネルの送信電力を備える、請求項16に記載の装置。
【請求項１８】
前記プロセッサが、長期的な時間スケールで調整するようにさらに構成される、請求項16に記載の装置。
【請求項１９】
前記少なくとも1つのプロセッサが、前記使用情報が前記所与のチャネルに関連付けられた閾値レベル未満になることに応答して、前記少なくとも1つの大カバレージ基地局の送信電力を増加させるようにさらに構成される、請求項16に記載の装置。
【請求項２０】
前記少なくとも1つのプロセッサが、前記使用情報が前記所与のチャネルに関連付けられた閾値レベルを上回ることに応答して、前記少なくとも1つの大カバレージ基地局の送信電力を低減するようにさらに構成される、請求項16に記載の装置。
【請求項２１】
前記少なくとも1つのプロセッサが、前記少なくとも1つの大カバレージ基地局の前記送信電力を終了するようにさらに構成される、請求項20に記載の装置。
【請求項２２】
調整することが、前記少なくとも1つの大カバレージ基地局のキャリアをオフにすることを含む、請求項16に記載の装置。
【請求項２３】
前記少なくとも1つの小カバレージ基地局による専用の使用のために前記キャリアを割り当てることをさらに含む請求項22に記載の装置。
【請求項２４】
前記使用情報が、前記カバレージエリアにおける配置された小カバレージ基地局の密度を含む、請求項16に記載の装置。
【請求項２５】
前記使用情報が、ワイヤレス通信ネットワークのデータ需要を含む、請求項16に記載の装置。
【請求項２６】
前記使用情報が、前記少なくとも1つの小カバレージ基地局の所与のカバレージエリアのバックホール容量を含む、請求項16に記載の装置。
【請求項２７】
前記少なくとも1つのプロセッサが、
前記少なくとも1つの小カバレージ基地局の動作モードをクローズドアクセスモードからオープンアクセスまたはハイブリッドアクセスモードに切り替える
ようにさらに構成される、請求項16に記載の装置。
【請求項２８】
前記少なくとも1つのプロセッサが、前記少なくとも1つの小カバレージ基地局の送信電力を増加させるようにさらに構成される、請求項27に記載の装置。
【請求項２９】
前記装置が、ホームノードB(HNB)管理システム(HMS)、保守運用管理(OAM)サーバ、または集中型SONサーバを含み、
前記少なくとも1つの小カバレージ基地局がフェムトセルまたはピコセルを含む
請求項16に記載の装置。
【請求項３０】
カバレージエリアにおいて少なくとも1つの小カバレージ基地局を配置するための装置であって、
前記少なくとも1つの小カバレージ基地局を、所与のチャネルにおいて動作するように構成するための手段と、
前記所与のチャネルにおける前記少なくとも1つの小カバレージ基地局の使用情報を検出するための手段と、
前記使用情報に少なくとも一部分基づいて、前記カバレージエリアにおける少なくとも1つの大カバレージ基地局の送信電力を低下させて、それによって、前記小カバレージ基地局への容量オフロードを増加させ、またはその逆を行うための手段と
を含む装置。
【請求項３１】
全送信電力が、すべての共通、制御、およびデータチャネルの送信電力を備える、請求項30に記載の装置。
【請求項３２】
調整するための手段が、長期的な時間スケールで調整するためにさらに構成される、請求項30に記載の装置。
【請求項３３】
調整するための手段が、前記使用情報が前記所与のチャネルに関連付けられた閾値レベル未満になることに応答して、前記少なくとも1つの大カバレージ基地局の前記送信電力を増加させるためにさらに構成される、請求項30に記載の装置。
【請求項３４】
調整するための手段が、前記使用情報が前記所与のチャネルに関連付けられた閾値レベルを上回ることに応答して、前記少なくとも1つの大カバレージ基地局の前記送信電力を低減するためにさらに構成される、請求項30に記載の装置。
【請求項３５】
前記調整するための手段が、前記少なくとも1つの大カバレージ基地局の前記送信電力を終了するようにさらに構成される、請求項34に記載の装置。
【請求項３６】
調整するための手段が、前記少なくとも1つの大カバレージ基地局のキャリアをオフにするためにさらに構成される、請求項30に記載の装置。
【請求項３７】
前記少なくとも1つの小カバレージ基地局による専用の使用のために前記キャリアを割り当てるための手段をさらに含む請求項36に記載の装置。
【請求項３８】
前記使用情報が、前記カバレージエリアにおける配置された小カバレージ基地局の密度を含む、請求項30に記載の装置。
【請求項３９】
前記使用情報が、ワイヤレス通信ネットワークのデータ需要を含む、請求項30に記載の装置。
【請求項４０】
前記使用情報が、前記少なくとも1つの小カバレージ基地局の所与のカバレージエリアのバックホール容量を含む、請求項30に記載の装置。
【請求項４１】
前記少なくとも1つの小カバレージ基地局の動作モードをクローズドアクセスモードからオープンアクセスまたはハイブリッドアクセスモードに切り替えるための手段をさらに含む請求項30に記載の装置。
【請求項４２】
調整するための手段が、前記少なくとも1つの小カバレージ基地局の前記送信電力を増加させるためにさらに構成される、請求項41に記載の装置。
【請求項４３】
前記装置が、ホームノードB(HNB)管理システム(HMS)、保守運用管理(OAM)サーバ、または集中型SONサーバを含み、
前記少なくとも1つの小カバレージ基地局がフェムトセルまたはピコセルを含む
請求項30に記載の装置。
【請求項４４】
コンピュータプログラムであって、
コンピュータに、
カバレージエリアにおける少なくとも1つの小カバレージ基地局を、所与のチャネルにおいて動作するように構成させ、
前記所与のチャネルにおける前記少なくとも1つの小カバレージ基地局の使用情報を検出させ、
前記使用情報に少なくとも一部分基づいて、前記カバレージエリアにおける少なくとも1つの大カバレージ基地局の送信電力を低下させて、それによって、前記小カバレージ基地局への容量オフロードを増加させ、またはその逆を行わせる
ためのコードを含む、
コンピュータプログラム。
【請求項４５】
全送信電力が、すべての共通、制御、およびデータチャネルの送信電力を備える、請求項44に記載のコンピュータプログラム。
【請求項４６】
調整することが、長期的な時間スケールで調整することを含む、請求項44に記載のコンピュータプログラム。
【請求項４７】
調整することが、前記使用情報が前記所与のチャネルに関連付けられた閾値レベル未満になることに応答して、前記少なくとも1つの大カバレージ基地局の前記送信電力を増加させることを含む、請求項44に記載のコンピュータプログラム。
【請求項４８】
調整することが、前記使用情報が前記所与のチャネルに関連付けられた閾値レベルを上回ることに応答して、前記少なくとも1つの大カバレージ基地局の前記送信電力を低減することを含む、請求項44に記載のコンピュータプログラム。
【請求項４９】
前記少なくとも1つの大カバレージ基地局の前記送信電力を終了することをさらに含む請求項48に記載のコンピュータプログラム。
【請求項５０】
調整することが、前記少なくとも1つの大カバレージ基地局のキャリアをオフにすることを含む、請求項44に記載のコンピュータプログラム。
【請求項５１】
前記少なくとも1つの小カバレージ基地局による専用の使用のために前記キャリアを割り当てることをさらに含む請求項50に記載のコンピュータプログラム。
【請求項５２】
ワイヤレス通信ネットワークにおけるネットワークエンティティによって動作可能な方法であって、
少なくとも1つの大カバレージ基地局を、ネットワークの時間または周波数リソースを使用するように構成するステップと、
少なくとも1つの小カバレージ基地局を、前記時間または周波数リソースの第1のサブセットを使用するように構成するステップと、
所与の地理的カバレージエリアにおける小カバレージ基地局の密度が定義された閾値レベルまで増加することに応答して、前記少なくとも1つの大カバレージ基地局を、前記時間または周波数リソースの第2のサブセットを使用するように構成するステップであり、前記第2のサブセットが、前記第1のサブセットにおける前記時間または周波数リソースに直交する時間または周波数リソースを含む、ステップと
を含む方法。
【請求項５３】
別の少なくとも1つの小カバレージ基地局を、前記時間または周波数リソースの第3のサブセットを使用するように構成するステップであり、前記第3のサブセットが、時間または周波数リソースの前記第1および第2のサブセットに直交する、ステップをさらに含む請求項52に記載の方法。
【請求項５４】
ワイヤレス通信ネットワークにおける装置であって、
少なくとも1つの大カバレージ基地局を、時間または周波数リソースを使用するように構成すること、少なくとも1つの小カバレージ基地局を、前記時間または周波数リソースの第1のサブセットを使用するように構成すること、および所与の地理的カバレージエリアにおける小カバレージ基地局の密度が定義された閾値レベルまで増加することに応答して、前記少なくとも1つの大カバレージ基地局を、前記時間または周波数リソースの第2のサブセットを使用するように構成することのために構成された少なくとも1つのプロセッサであり、前記第2のサブセットが、前記第1のサブセットにおける前記時間または周波数リソースに直交する時間または周波数リソースを含む、プロセッサと、
データを記憶するための前記少なくとも1つのプロセッサに結合されたメモリと
を含む装置。
【請求項５５】
ワイヤレス通信ネットワークにおける装置であって、
少なくとも1つの大カバレージ基地局を、時間または周波数リソースを使用するように構成するための手段と、
少なくとも1つの小カバレージ基地局を、前記時間または周波数リソースの第1のサブセットを使用するように構成するための手段と、
所与の地理的カバレージエリアにおける小カバレージ基地局の密度が定義された閾値レベルまで増加することに応答して、前記少なくとも1つの大カバレージ基地局を、前記時間または周波数リソースの第2のサブセットを使用するように構成するための手段であり、前記第2のサブセットが、前記第1のサブセットにおける前記時間または周波数リソースに直交する時間または周波数リソースを含む、手段と
を含む装置。
【請求項５６】
コンピュータプログラムであって、
少なくとも1つのコンピュータに、
少なくとも1つの大カバレージ基地局を、ネットワークの時間または周波数リソースを使用するように構成することと、
少なくとも1つの小カバレージ基地局を、前記時間または周波数リソースの第1のサブセットを使用するように構成することと、
所与の地理的カバレージエリアにおける小カバレージ基地局の密度が定義された閾値レベルまで増加することに応答して、前記少なくとも1つの大カバレージ基地局を、前記時間または周波数リソースの第2のサブセットを使用するように構成することであり、前記第2のサブセットが、前記第1のサブセットにおける時間または周波数リソースに直交する時間または周波数リソースを含む、構成することと
を行わせるためのコードを備える
コンピュータプログラム。
【国際調査報告】
2015508271.tif 000016
2015508271.tif 000017
2015508271.tif 000018
2015508271.tif 000019